(57)【要約】【課題】映像表示装置及び映像視聴用眼鏡を用いたより好適な映像の視聴技術を提供する。【解決手段】映像表示装置と、該映像表示装置が表示した映像の視聴に用いられる映像視聴用眼鏡とを具備する映像システムであって、前記映像表示装置は、映像を表示する表示部と、前記映像と同期し、前記映像を構成するフレームの表示終了を通知する外部同期信号を生成する同期信号生成部と、前記外部同期信号を前記映像視聴用眼鏡へ送信する同期信号送信部と、を有し、前記映像視聴用眼鏡は、前記外部同期信号を受信する同期信号受信部と、左眼及び右眼へそれぞれ透過する光の量を調整する一対の光学フィルタを備える光学フィルタ部と、前記外部同期信号に基づいて、前記光学フィルタ部を制御する光学フィルタ制御部と、を備えることを特徴とする映像システム。【選択図】図２
2010266840.tif 000002
【特許請求の範囲】
【請求項１】
映像表示装置と、該映像表示装置が表示した映像の視聴に用いられる映像視聴用眼鏡とを具備する映像システムであって、
前記映像表示装置は、
映像を表示する表示部と、
前記映像と同期し、前記映像を構成するフレームの表示終了を通知する外部同期信号を生成する同期信号生成部と、
前記外部同期信号を前記映像視聴用眼鏡へ送信する同期信号送信部と、を有し、
前記映像視聴用眼鏡は、
前記外部同期信号を受信する同期信号受信部と、
左眼及び右眼へそれぞれ透過する光の量を調整する一対の光学フィルタを備える光学フィルタ部と、
前記外部同期信号に基づいて、前記光学フィルタ部を制御する光学フィルタ制御部と、を備えることを特徴とする
映像システム。
【発明の詳細な説明】
【技術分野】
【０００１】
映像表示装置に表示された映像を、映像視聴用眼鏡を通じて視聴するための技術に関する。特に、映像表示装置が表示する映像を選択する映像視聴用眼鏡を通じて、映像表示装置の映像を視聴するための技術に関する。
【背景技術】
【０００２】
立体映像表示装置から液晶シャッタ眼鏡へ送信される左右映像の切り替わりを示す信号は、不特定の理由により遮断されてしまうことがある。特許文献１は、この信号の遮断に起因する立体視不能の状態並びに画面のちらつきの問題を解決する技術を開示する。特許文献１に示される液晶シャッタ眼鏡は、立体映像表示装置から受信した切り替えを示す信号に基づいて、内部で自走用の切り替え信号を生成し、この生成された信号を用いて、液晶シャッタの切り替え制御を行う。その結果、一時的に立体映像表示装置からの信号を受信できなくても、液晶シャッタの切り替えを制御することが可能となり、上記の問題を解決することができる。立体映像表示装置から送信される左右映像の切り替えを示す信号の早さ（クロック）が複数ある場合において、特許文献１に示される液晶シャッタ眼鏡は更に、複数のクロックにも対応することができる。
【０００３】
ＰＤＰ（Ｐｌａｓｍａ  Ｄｉｓｐｌａｙ  Ｐａｎｅｌ）により提供される立体視像を、眼鏡を用いて視聴するときに、サブフィールドの開始と同時に眼鏡のシャッタの切り替えを行なうと、シャッタの応答速度の遅さに起因して、ＰＤＰの発光をシャッタで遮ってしまうことがある。特許文献２に開示される技術は、眼鏡の左右のシャッタ切り替えを、サブフィールドの無表示期間に行うことにより、この問題を解決しようとしている。
【先行技術文献】
【特許文献】
【０００４】
【特許文献１】特開平１１−９８５３８号公報
【特許文献２】特開２０００−３６９６９号公報
【発明の概要】
【発明が解決しようとする課題】
【０００５】
特許文献１は、映像表示装置の種類（例えば、ＣＲＴ（Ｃａｔｈｏｄｅ  Ｒａｙ  Ｔｕｂｅ）を用いた装置、ＬＣＤ（Ｌｉｑｕｉｄ  Ｃｒｙｓｔａｌ  Ｄｉｓｐｌａｙ）等の液晶素子を用いた装置、ＰＤＰ等）の違いを考慮して、映像表示装置及び／又は映像視聴用眼鏡を制御する技術を開示するものではない。
【０００６】
特許文献２は、映像表示装置として用いられるＰＤＰのサブフィールドの無表示期間に左右の液晶シャッタを切り替える点について開示するが、映像表示装置による映像表示の影響（例えば、左眼用／右眼用の映像を切り替えて表示することに起因する視聴される像に対する影響等）を考慮して、映像表示装置及び／又は映像視聴用眼鏡を制御する技術を開示するものではない。
【０００７】
本発明は、映像表示装置及び映像視聴用眼鏡を用いたより好適な映像の視聴技術を提供することを目的とする。
【課題を解決するための手段】
【０００８】
この目的を達成する本発明の一局面に係る映像表示装置は、映像視聴用眼鏡を用いて視聴される映像を表示する。この映像表示装置は、前記映像を表示する表示部と、前記映像と同期し、前記映像を構成するフレームの表示終了を前記映像視聴用眼鏡に通知する外部同期信号を生成する同期信号生成部と、前記外部同期信号を送信する同期信号送信部とを備えることを特徴とする。
【０００９】
本発明の他の局面に係る映像視聴用眼鏡は、映像と同期し、該映像を構成するフレームの表示終了を通知する外部同期信号を受信する同期信号受信部と、左眼及び右眼へそれぞれ透過する光の量を調整する一対の光学フィルタを備える光学フィルタ部と、前記外部同期信号に基づいて、前記光学フィルタ部を制御する光学フィルタ制御部と、を備えることを特徴とする。
【００１０】
本発明の他の局面に係る映像システムは、映像表示装置と、該映像表示装置が表示した映像の視聴に用いられる映像視聴用眼鏡とを具備する。  前記映像表示装置は、映像を表示する表示部と、前記映像と同期し、前記映像を構成するフレームの表示終了を通知する外部同期信号を生成する同期信号生成部と、前記外部同期信号を前記映像視聴用眼鏡へ送信する同期信号送信部とを有する。前記映像視聴用眼鏡は、前記外部同期信号を受信する同期信号受信部と、左眼及び右眼へそれぞれ透過する光の量を調整する一対の光学フィルタを備える光学フィルタ部と、前記外部同期信号に基づいて、前記光学フィルタ部を制御する光学フィルタ制御部とを備える。
【発明の効果】
【００１１】
本発明は、映像表示装置及び映像視聴用眼鏡を用いたより好適な映像の視聴技術を提供することができる。
【図面の簡単な説明】
【００１２】
【図１】本発明の一実施形態に係る映像システムの概略を示す図である。
【図２】図１に示される映像システムのハードウェア構成を示す図である。
【図３】図１に示される映像表示装置の機能構成図である。
【図４】図１に示される映像視聴用眼鏡の機能構成図である。
【図５】図３に示される映像表示部の表示方式による発光方法の違いを説明する図である。
【図６】図３に示される映像表示部が立体映像を表示するときの映像の一例を示す図である。
【図７】図５に示されるサブフィールド駆動に従う映像フレームと同期信号の関係を例示する図である。
【図８】図３に示される送信制御部が送信する同期信号の一例を例示する図である。
【図９】図３に示される同期信号生成部による同期信号の生成と光学フィルタ部の制御との関係を例示する図である。
【図１０】図３に示される映像表示部にＬＣＤを適用したときの同期信号の生成と光学フィルタ制御の関係を示す図である。
【図１１】図３に示される同期信号生成部による同期信号を生成するフローチャートである。
【図１２】同期信号群の送信間隔の制御を示す図である。
【図１３】図３に示される映像表示部に表示される映像が単一の内容を表す動画映像の場合の同期信号の生成を示す図である。
【図１４】図３に示される映像表示部に表示される映像が単一の内容を表す動画のフレームの映像の一例を示す図である。
【図１５】図３に示される送信制御部が互いに異なる波形を有する３種類の同期信号を送信するときの光学フィルタ部に対する制御の一例を示す図である。
【図１６】図３に示される映像表示部が二次元映像を表示するときの制御の一例を示す図である。
【図１７】図３に示される送信制御部が互いに異なる波形を有する４種類の同期信号を送信するときの光学フィルタ部に対する制御の一例を示す図である。
【図１８】図３に示される映像表示部に表示される映像を視聴者に選択的に視聴させるときの制御の一例を示す図である。
【図１９】図１８に示される制御に用いられる映像表示装置が表示する映像の一例を示す図である。
【図２０】図１８に示される制御を通じて、視聴者が視認する映像の一例を示す図である。
【図２１】応答速度の相違による映像視聴用眼鏡の制御の相違について説明する図である。
【図２２】同期信号生成部が生成する内部信号と、同期信号送信部が送信する同期信号との関係を示す図である。
【発明を実施するための形態】
【００１３】
（第１の実施の形態）
＜１．映像表示システムの構成＞
図１は映像表示装置と、映像表示装置が表示した映像を視聴する際に用いる映像視聴用眼鏡を備える映像表示システムを示す。本実施形態では、視聴者は、映像視聴用眼鏡を通して、映像表示装置の表示面に表示される映像を見ることで、立体映像を視認する。
【００１４】
図１に示される映像表示システム１は、映像を表示する映像表示装置１００と、映像視聴用眼鏡１２０とを含む。映像表示装置１００は、ディスプレイパネル２０６を備える。ディスプレイパネル２０６上には、左眼用の映像と右眼用の映像とが交互に表示される。映像表示装置１００が表示する左眼用の映像と右眼用の映像は、視聴者の視差の分だけ互いに相違する内容を含むことができる。
【００１５】
映像視聴用眼鏡１２０は、全体として、視力矯正用眼鏡と略同様の形状をなす。映像視聴用眼鏡１２０は、光学フィルタ部２２４を備える。光学フィルタ部２２４は、映像視聴用眼鏡１２０が装着されたときに視聴者の左眼前に位置する左眼用光学フィルタ２４１と、視聴者の右眼前に位置する右眼用光学フィルタ２４２とから構成される。映像視聴用眼鏡１２０は、左眼用光学フィルタ２４１を用いて左眼に透過する映像の光の量を調整するとともに、右眼用光学フィルタ２４２を用いて右眼に透過する映像の光の量を調整する。映像の光の量に対する調整は、映像表示装置１００のディスプレイパネル２０６に出力される映像に対して同期される。視聴者は、左眼と右眼とで視聴する映像から視差を感知し、映像表示装置１００が表示する映像を立体的な映像として知覚する。
【００１６】
映像表示装置１００のディスプレイパネル２０６から、立体映像（３Ｄ映像）等の所定の処理を施された映像が出力される。映像表示装置１００の同期信号送信部１１０から、映像表示装置１００のディスプレイパネル２０６に出力される映像と映像視聴用眼鏡１２０の制御とを同期させるための信号（外部同期信号）が送信される。映像視聴用眼鏡１２０は、映像表示装置１００からの外部同期信号を受信する。映像視聴用眼鏡１２０は、この同期信号に基づいて、左右の眼へ入射する光に所定の光学処理を施す。映像視聴用眼鏡１２０は、同期信号送信部１１０から送信される同期信号を同期信号受信部１３０で受信し、この同期信号に基づいて、左眼及び／又は右眼に透過する光の量の調整を行う。これにより、映像視聴用眼鏡１２０を装着した視聴者は、映像表示装置１００が表示する映像を適切に視聴することが可能となる。
【００１７】
図２は、映像表示装置１００及び映像視聴用眼鏡１２０のハードウェア構成を示す。映像表示装置１００は、復号ＩＣ２００、映像信号処理ＩＣ２０１、送信制御ＩＣ２０２、ＣＰＵ２０３、メモリ２０４、クロック２０５、ディスプレイパネル２０６及び赤外線発光素子２０７を備える。
【００１８】
復号ＩＣ２００は、入力される符号化された映像信号を復号化して映像データを所定の様式で出力する。映像の符号化には、ＭＰＥＧ（Ｍｏｔｉｏｎ  Ｐｉｃｔｕｒｅ  Ｅｘｐｅｒｔｓ  Ｇｒｏｕｐ）−２、ＭＰＥＧ−４やＨ２６４等の方式がある。
【００１９】
映像信号処理ＩＣ２０１は、立体映像の表示に関する信号処理を行う。映像信号処理ＩＣ２０１は、映像信号の処理を実行し、復号ＩＣ２００からの映像データを立体映像として表示する。特定の実施形態において、映像信号処理ＩＣ２０１は、復号ＩＣ２００で復号された映像データから左眼用の映像と右眼用の映像を検出し、検出された左眼用の映像と右眼用の映像とが時間的に交互に表示される。他の特定の実施形態において、復号ＩＣ２００が出力した映像データから左眼用と右眼用の映像とが自動的に生成され、映像信号処理ＩＣ２０１は、生成された左眼用と右眼用の映像とをディスプレイパネル２０６に交互に出力する。立体映像の表示に関する信号処理を行なった後、映像信号処理ＩＣ２０１は、ディスプレイパネル２０６の信号入力方式に適合した出力信号を生成する。
【００２０】
尚、映像信号処理ＩＣ２０１は、上記の処理以外の処理を実行してもよい。例えば、ディスプレイパネル２０６の特性に応じて、表示する映像の色彩を調整する処理や復号ＩＣ２００で生成された映像データのフレーム間の映像を補間することにより、映像のフレームレートを上げる等の処理を、映像信号処理ＩＣ２０１は更に実行することができる。
【００２１】
送信制御ＩＣ２０２は、映像信号処理ＩＣ２０１が生成した左眼用及び右眼用の映像と同期する同期信号を生成し、生成された同期信号を赤外線発光素子２０７へ出力する。赤外線発光素子２０７は、以下に、詳述される。
【００２２】
ＣＰＵ２０３は、映像表示装置１００全体を制御する。ＣＰＵ２０３は、映像表示装置１００を構成する構成部（例えば、復号ＩＣ２００や映像信号処理ＩＣ２０１等）を制御することにより、映像表示装置１００全体の制御を司る。ＣＰＵ２０３は、メモリ２０４に記録されたプログラム及び外部からの入力（図示せず）等に従って、映像表示装置１００全体の制御を行う。
【００２３】
メモリ２０４は、ＣＰＵ２０３が実行するプログラムやプログラム実行時に発生する一時データを記録する領域として利用される。メモリ２０４として、揮発性のＲＡＭ（Ｒａｎｄｏｍ  Ａｃｃｅｓｓ  Ｍｅｍｏｒｙ）や不揮発性のＲＯＭ（Ｒｅａｄ  Ｏｎｌｙ  Ｍｅｍｏｒｙ）を利用することができる。
【００２４】
クロック２０５は、ＣＰＵ２０３等や他の構成部品へ各ＩＣ等の動作基準となるクロック信号を供給する。
【００２５】
ディスプレイパネル２０６には、映像信号処理ＩＣから出力された映像信号が表示される。ディスプレイパネル２０６に対して、従来からのＣＲＴ方式や、それ以外にも液晶素子を用いたＬＣＤ、その他ＰＤＰや有機エレクトロルミネッセンスを用いたもの等各種の表示方式を適用可能である。
【００２６】
赤外線発光素子２０７は、送信制御ＩＣ２０２による制御の下、同期信号を外部へ赤外線を用いて出力する。
【００２７】
尚、本実施形態において、赤外線を用いて映像表示装置１００と映像視聴用眼鏡１２０との間の同期が図られるが、本発明は、これに限定されるものではない。有線信号、無線信号、超音波等や他の伝達手段を用いて、映像表示装置１００と映像視聴用眼鏡１２０との間の同期が図られてもよい。
【００２８】
映像視聴用眼鏡１２０は、ＣＰＵ２２０、メモリ２２１、クロック２２２、赤外線受光素子２２３及び光学フィルタ２２４を備える。
【００２９】
ＣＰＵ２２０は、映像視聴用眼鏡１２０全体を制御する。ＣＰＵ２２０は、メモリ２２１等に記録されたプログラムや外部からの入力（図示せず）に従って、視聴用眼鏡１２０を制御する。
【００３０】
メモリ２２１は、ＣＰＵ２２０が実行するプログラムのデータの記録や、プログラム実行時の一時データを保持する場所として用いられる。
【００３１】
クロック２２２は、映像視聴用眼鏡１２０を構成する他のＩＣ等へ、動作の基準となるクロック信号を供給する。クロック信号は、必要に応じて分周、逓倍したものであってもよい。
【００３２】
赤外線受光素子２２３は、映像表示装置１００が赤外線発光素子２０７から送信した同期信号を受信するための受光部分である。
【００３３】
光学フィルタ部２２４は、利用者が眼鏡を着用した際に、利用者の左眼及び右眼の前方に位置し、左眼及び右眼へ透過する光の量を調整する。光学フィルタ部２２４は、ＣＰＵ２２０の制御の下、左眼に対する動作と右眼に対する動作を適切に行うことで、眼鏡の着用者に所望の光学的効果を与える。
【００３４】
図２に示されるハードウェア構成は一例に過ぎず、本発明は、これに限定されるものではない。例えば、復号ＩＣ２００や映像信号処理ＩＣ２０１等の複数のＩＣに、一体化されたＩＣを用いて、ハードウェアが構成されてもよい。また、ＣＰＵ２０３が実行するプログラムの処理をＰＬＤ（Ｐｒｏｇｒａｍｍａｂｌｅ  Ｌｏｇｉｃ  Ｄｅｖｉｃｅ）等を用いて実現してもよい。
【００３５】
図３は、映像表示装置１００の機能構成図を示す。映像表示装置１００は、映像復号部３００、Ｌ／Ｒ信号分離部３０１、立体信号処理部３０２、映像表示部３０３、同期信号生成部３０４、送信制御部３０５及び同期信号送信部３０６を備える。
【００３６】
映像復号部３００は、入力される符号化された映像信号を復号する。図２に示されるハードウェア構成においては、映像復号部３００は、復号ＩＣ２００に該当する。
【００３７】
Ｌ／Ｒ信号分離部３０１は、映像復号部３００が復号した映像信号から左眼用と右眼用の映像信号を生成若しくは分離する。
【００３８】
立体信号処理部３０２は、映像視聴用眼鏡１２０を通じて視認される映像を表示する映像表示部３０３の特性等に応じて、Ｌ／Ｒ信号分離部３０１で分離された左眼用及び右眼用の映像信号を調整する。例えば、映像表示部３０３の表示面の大きさに応じて、左眼用と右眼用の映像の視差を調整する処理等を、立体信号処理部３０２は実行する。尚、表示部の一例として図３に示される映像表示部３０３は、図１及び図２に例示されるディスプレイパネル２０６に相当する。
【００３９】
同期信号生成部３０４は、Ｌ／Ｒ信号分離部３０１が生成した左眼用及び右眼用の映像と同期又は対応した同期信号を生成する。この際、映像表示部３０３の特性等に応じて、生成する同期信号の種類や生成タイミングが調整される。同期信号は、後述される。
【００４０】
Ｌ／Ｒ信号分離部３０１、立体信号処理部３０２並びに同期信号生成部３０４は、図２に示されるハードウェア構成において、映像信号処理ＩＣ２０１に該当する。
【００４１】
映像表示部３０３は、立体信号処理部３０２によって処理された映像信号を映像として表示する。上述の如く、図２に示されるハードウェア構成において、映像表示部３０３は、ディスプレイパネル２０６に該当する。
【００４２】
同期信号送信部３０６は、同期信号生成部３０４で生成された同期信号を、送信制御部３０５（後述される）の制御下で、外部（映像視聴用眼鏡１２０）へ送信する。同期信号送信部３０６は、図２に示されるハードウェア構成において、赤外線発光素子２０７に該当する。
【００４３】
送信制御部３０５は、送信される同期信号のデータ量や、その送信間隔等を制御する。送信制御部３０５の制御内容は後述される。送信制御部３０５は、図２に示されるハードウェア構成において、送信制御ＩＣ２０２に該当する。
【００４４】
図４は、映像視聴用眼鏡１２０の機能構成図を示す。映像視聴用眼鏡１２０は、外部同期信号受信部４００、同期信号検出部４０１、同期信号解析部４０２、同期情報記憶部４０３、内部同期信号生成部４０４、光学フィルタ制御部４０５及び光学フィルタ部２２４を備える。
【００４５】
外部同期信号受信部４００は、映像表示装置１００から赤外線で送信された同期信号を受信する。受光した赤外線に応じて、電気信号を同期信号検出部４０１（後述される）へ出力する。図２に示されるハードウェア構成においては、外部同期信号受信部４００は、赤外線受光素子２２３に該当する。
【００４６】
同期信号検出部４０１は、外部同期信号受信部４００が受信した赤外線から生成した同期信号（電気信号）を検出する。同期信号は、所定の電気波形等を持つ信号として検出される。
【００４７】
同期信号解析部４０２は、同期信号検出部４０１が検出した同期信号に基づいて、光学フィルタ部２２４（後述される）を動作させるために用いられる時間間隔等の情報を解析する。光学フィルタ部２２４を動作させるための情報（時間間隔情報等）とは、例えば、左眼用光学フィルタ２４１及び右眼用光学フィルタ２４２の開閉タイミングの情報等を意味する。時間間隔等の情報の解析は後述される。
【００４８】
同期信号検出部４０１及び同期信号解析部４０２は、図２に示されるハードウェア構成において、ＣＰＵ２２０が実行するプログラムの一部に該当する。
【００４９】
同期情報記憶部４０３は、同期信号解析部４０２が同期信号に基づいて解析した光学フィルタ部２２４の動作内容に関する制御情報を記録・保持する。図２に示されるハードウェア構成において、同期情報記憶部４０３は、メモリ２２１に該当する。ＣＰＵ２２０は、制御情報をメモリ２２１に記録する。
【００５０】
内部同期信号生成部４０４は、同期情報記憶部４０３に記録された同期情報、又は、同期信号解析部４０２が解析した同期情報に基づいて、映像視聴用眼鏡１２０内部で同期信号を生成する。内部同期信号生成部４０４は、図２に示されるハードウェア構成において、ＣＰＵ２２０とクロック２２２に該当する。
【００５１】
光学フィルタ制御部４０５は、映像視聴用眼鏡１２０の左眼用光学フィルタ２４１及び右眼用光学フィルタ２４２の動作制御（例えば、光学フィルタ部２２４を透過する光の量を調整する等の制御）を行なう。光学フィルタ制御部４０５は、図２に示されるハードウェア構成において、ＣＰＵ２２０が実行する光学フィルタ制御用のプログラムに該当する。
【００５２】
光学フィルタ部２２４は、上述の如く、左眼に入射する透過光及び右眼に入射する透過光の量を調整するための一対の光学フィルタ２４１、２４２から構成される。図１に示される如く、一対の光学フィルタ２４１、２４２は、映像視聴用眼鏡１２０に取り付けられる。光学フィルタ２４１、２４２には、透過する光の量を調整するフィルタや、透過する光の偏向を調整するフィルタ等の様々な種類が含まれる。また、光学フィルタ２４１、２４２には、液晶素子を用いるとともにこの液晶素子を制御することで、透過する光の量を調整するフィルタ等も含まれる。光学フィルタ部２２４は、図２に示されるハードウェア構成において、図１において付されたものと同一の符号を用いて示されている。
【００５３】
本実施形態では、映像表示装置１００に表示される映像は、左眼用の映像と右眼用の映像とを含み、左眼用の映像と右眼用の映像が交互に切り替わる。光学フィルタ部２２４を構成する左眼用光学フィルタ２４１と右眼用光学フィルタ２４２は、交互に透過する光の量を減光、増光するシャッタのような動作をする。尚、光学フィルタ部２２４の動作は、本実施形態に限定されるものではない。光学フィルタ部２２４の動作の他の例としては、右眼と左眼とで偏光方向を変える動作を挙げることができる。映像フレームの表示の切り替えと同期して透過する光の量を調整可能なあらゆる種類の光学フィルタ２４１，２４２を、光学フィルタ部２２４に適用することが可能である。
【００５４】
本発明は、図３及び図４に示される機能構成に限定されるものではない。例えば、図３及び図４に関連する説明では、同期信号送信部３０６及び映像表示部３０３が１つの映像表示装置１００に包含されていたが、これらがそれぞれ別の装置に含まれるものであってもよい。例えば、映像を表示する機能のみの映像表示装置と、同期信号を送信出力する同期信号送信装置と、の別々の装置であってもよい。
【００５５】
また、図２乃至図４で示されたハードウェア構成と機能構成の対応関係は、本実施形態の説明のために用いる具体例としての対応関係に過ぎず、本発明は、これに限定されるものではない。他のハードウェア構成並びに他の機能構成が本発明に適用されてもよい。
【００５６】
＜２．映像表示部の特性に応じた同期方式について＞
図５は、映像表示部３０３の表示方式による発光方法の違いを説明する図である。図６は、図５に示される左眼用のフレームと右眼用のフレームにおいて表示される映像の例を示す。映像表示装置１００は、映像表示部３０３に映像を表示する。映像表示部３０３は表示部に使用する表示方式によってその特性が大きく異なる。図５は、ＰＤＰが映像表示部３０３（ディスプレイパネル２０６）として用いられたときの表示特性及びＬＣＤが映像表示部３０３（ディスプレイパネル２０６）として用いられたときの表示特性を示す。図５（Ａ）は、映像表示装置１００が立体映像を表示するために、左眼用の映像を構成するフレームと右眼用の映像を構成するフレームを交互に切り替えて表示することを示している。尚、図５は、説明の明瞭化のために、左眼用のフレームと右眼用のフレームが交互にディスプレイパネル２０６に表示されていることを示しているが、本発明は必ずしもこれに限定されるものではない。例えば、数フレーム毎に左眼用のフレームと右眼用のフレームが切り替えられる表示方式が採用されてもよい。
【００５７】
図６は、図５に示される左眼用フレームにおいてディスプレイパネル２０６に表示される映像と右眼用フレームにおいてディスプレイパネル２０６に表示される映像の一例を示す。図６において上側に示されるディスプレイパネル２０６には、左眼用フレームの映像が示され、下側に示されるディスプレイパネル２０６には、右眼用フレームの映像が示されている。両フレームにおいて表示されている物Ａは、同一の対象物であるが、ディスプレイパネル２０６上での表示位置と見える角度がわずかに異なる。この表示位置と見える角度の相違が、例えば、左眼用フレームの映像と右眼用フレームの映像との間の視聴者の視差の分の内容の差異とされる。尚、図６に示される物Ａは、説明を容易にするために円形で示され、形状的な差異は左眼用フレームと右眼用フレームとの間で認められないが、物Ａの形状によっては、左眼用フレームにおいて表示される物と右眼用フレームにおいて表示される物の形状も視差の分だけ異なるものとなる。尚、図６に示される左眼用フレームと右眼用フレームとの間の視差分の表示内容差は、説明を明瞭にするために示されるものであり、左眼で視認されることを予定された映像と右眼で視認されることを予定された映像との間の他の差異も視差分の内容差に含まれる。
【００５８】
図５を再度参照する。図５（Ｂ）は、映像表示部３０３にＰＤＰを使用したときの発光量を示す。ＰＤＰによる発光方法は、１つのフレームを時分割してなる発光区間（サブフィールドと称される）を用いる。各サブフィールド中の互いに異なる発光量が組み合わされることにより、フレームの階調が調整される。棒グラフとして示される放電量５００は、映像表示部３０３が各サブフィールドにおいて得ようとしている発光量であり、曲線で示される発光量５０１は、映像表示部３０３を構成する個々の画素の発光量の時間変化を示す。発光量５０１は、各サブフィールドの放電量５００に対して、映像表示部３０３の発光５０１は少し遅れることを示している。この遅れは、各画素に封入等されている蛍光体の発光時の応答特性や消光時の残光特性に起因する。
【００５９】
ＰＤＰが映像表示部３０３（ディスプレイパネル２０６）として用いられる場合、図３に示される同期信号生成部３０４は、映像表示部３０３の表示特性を考慮して同期信号を生成、送信することが好ましい。映像表示部３０４にＰＤＰを用いるとき、上述の如くサブフィールド発光等させるための入力信号と、実際の蛍光体の発光等との間には時間的ずれが生じる。特に、曲線で示される発光量５０１が示す通り、右眼用フレームにはみ出る左眼用フレームの発光は、右眼用フレームの発光に対して影響を及ぼす残光（クロストーク）となり、この残光は、立体視映像表示に大きな影響を与える。左眼用フレームの映像が右眼用フレームの映像中に残光として残ると、視聴者が右眼用フレームの映像を見ている間、右眼用フレームの映像の一部において、左眼用フレームの映像が残光として見える（即ち、左眼用フレームの映像が、右眼が視認する映像に影響を与える）ことがある。その結果、映像表示装置１００が、映像視聴用眼鏡１２０を用いて視聴する視聴者に、見えにくい立体映像を提供してしまう可能性を生ずる。
【００６０】
図５（Ｃ）は、ＬＣＤが映像表示部３０３（ディスプレイパネル２０６）として用いられたときの表示特性を示す。ＬＣＤは、ＣＲＴ等と同様に、走査線に沿って各画素を順次制御することで、表示面への映像表示を制御するものである（符号５０２で示される領域は画面を、走査している（映像を書き換えている）ことを示す）。そのため、画素の走査時の映像は、表示面には、走査前の映像と走査後の更新された映像とが混在する（映像が乱れる）こととなる。特に立体映像において左眼用と右眼用の映像を交互に表示する場合は、この走査時に左眼用と右眼用の映像が混在し、映像が乱れる。その結果、映像表示装置１００が、映像視聴用眼鏡１２０を用いて視聴する視聴者に、見えにくい立体映像を提供する可能性を生ずる。
【００６１】
図７は、映像表示部３０３にＰＤＰを用いた場合の同期信号の生成例を示す。本実施形態の同期信号生成部３０４は、映像表示部３０３の特性を考慮して同期信号を生成する。
【００６２】
図７（Ａ）は、映像表示部３０３が表示する映像を例示する。図７に示される例では、図５及び図６に関連する説明と同様に、左眼用フレームの映像と右眼用フレームの映像が交互に表示される。図７（Ｂ）は、映像表示部３０３が表示する映像と同期して生成、送信される同期信号（パルス）を表す。
【００６３】
図７（Ｃ）は、映像視聴用眼鏡１２０が、図７（Ｂ）に示される映像表示装置１００からの同期信号に応じて、映像表示部３０３からのＰＤＰ発光の透過量を制御する例を示す。映像表示部３０３は、左眼用フレーム、右眼用フレームに対応した映像を表示するため、左眼用フレーム、右眼用フレームの映像に対応してサブフィールド７１０の発光を制御する。その結果、映像表示部３０３の表示面は、映像信号に基づきグラフ曲線７１１に示すように発光する。この場合、一方のフレームの映像が他方のフレームの映像に影響を及ぼす可能性がある。図７に示す例では、左眼用フレームの残光が右眼用フレームに影響を及ぼす可能性があるとともに、右眼用フレームの残光が左眼用フレームに影響を及ぼす可能性がある。
【００６４】
同期信号生成部３０４は、これらの残光が映像の視聴に与える影響を防ぐため、映像視聴用眼鏡１２０へ送信する同期信号を制御する。同期信号生成部３０４は、映像視聴用眼鏡１２０の光学フィルタ部２２４が適切に制御されるような信号を生成する。同期信号生成部３０４は、同期信号を制御し、左眼用フレームの残光が右眼用フレームの視聴に影響を及ぼさないようにするとともに、右眼用フレームの残光が左眼用フレームの視聴に影響を及ぼさないようにする。同期信号生成部３０４は、映像表示部３０３の表示特性（例えば、発光時の応答特性や、消光時の残光特性）と連動して、同期信号を生成し、この同期信号に基づき、映像視聴用眼鏡１２０の光学フィルタ部２２４の左右の光学フィルタ２４１，２４２が制御される。
【００６５】
図７（Ｂ）は、同期信号生成部３０４が生成する同期信号（パルス）の一例を示す。同期信号生成部３０４は、表示フレームの開始（一のフレーム中の最初のサブフィールド発光）及び終了（一のフレーム中の最後のサブフィールド発光）に対応して、映像視聴用眼鏡１２０の光学フィルタ部２２４を制御する同期信号を生成する。
【００６６】
本実施形態では、このような、表示フレームの開始時点だけでなく、終了時点においても、映像視聴用眼鏡１２０を制御する同期信号を生成し、光学フィルタ部２２４を制御するところに特徴がある。表示フレームの開始時点においてのみ同期信号を出力した場合は、残光の影響を十分に抑制することができない。光学フィルタ部２２４は、同期信号に対して、瞬間的には応答できず、フィルタの開閉に時間を要する。表示フレーム開始時点における同期信号のみを用いて、光学フィルタ部２２４の制御を、単一のタイミングで行なう場合、フィルタの開閉時間において、映像表示部３０３の映像が、本来意図しない方の眼に洩れることになる。この問題を避けるためには、以下に説明するように、表示フレームの開始時点だけでなく、終了時点にも同期信号を伝送する必要がある。また、既知の手法として、同期信号送信部３０６が送る同期信号は、表示フレームの開始タイミングと終了タイミングのいずれか一方においてのみ伝送され、映像視聴用眼鏡１２０が、内部のクロック２２２で時間を計測し、自動的に光学フィルタ部２２４の遮光動作と透過動作のタイミングをずらすものを挙げることができる。しかしながら、この既知の方法では、以下に説明するような、様々な表示特性を持つディスプレイに対応できないという問題がある。
【００６７】
図８は、図７に示される第１の同期信号７００及び／又は７０１並びに第２の同期信号７０２及び／又は７０３の一例を示す。図７に示される如く、本実施形態では、同期信号として第１の同期信号７００、７０１と第２の同期信号７０２、７０３が、外部同期信号受信部４００により受信される。
【００６８】
外部同期信号受信部４００により受信された同期信号は、同期信号検出部４０１を通じて、同期信号解析部４０２に送られる。同期信号解析部４０２は、第１の同期信号７００、７０１と第２の同期信号７０２、７０３を識別する。図７に示される例では、第１の同期信号７００、７０１は、左眼用光学フィルタ２４１に対する開閉制御に用いられる信号として、同期情報記憶部４０３に記録される。第２の同期信号７０２、７０３は、右眼用光学フィルタ２４２に対する開閉制御に用いられる信号として、同期情報記憶部４０３に記録される。内部同期信号生成部４０４は、同期情報記憶部４０３に記録された信号を読み出し、光学フィルタ制御部４０５による光学フィルタ部２２４の制御の基となる内部同期信号を生成する。
【００６９】
図８（Ａ）に示される如く、本実施形態に用いられる第１の同期信号７００、７０１と第２の同期信号７０２、７０３の所定時間におけるパルス数は互いに異なるものである。このパルス数の差異により、同期信号解析部４０２は、第１の同期信号７００、７０１と第２の同期信号７０２、７０３とを識別することができる。また、図７に示される実施形態において、同期信号解析部４０２は、続けて送信された２つの同一波形の同期信号のうち、後に送信された同期信号７０１，７０３を、光学フィルタを閉じるための同期信号として識別する。尚、図８（Ｂ）に示される如く、第１の同期信号７００、７０１と第２の同期信号７０２、７０３のパルス幅を変えて、第１の同期信号７００、７０１と第２の同期信号７０２、７０３を区別する手法を本実施形態に採用することも可能である。或いは、第１の同期信号７００，７０１と第２の同期信号７０２，７０３間のパルス数及びパルス幅以外の他の波形の差異に基づき、同期信号解析部４０２が第１の同期信号７００，７０１と第２の同期信号７０２，７０３とを区別する手法も本実施形態に適用可能である。
【００７０】
図７を再度参照する。同期信号生成部３０４は、サブフィールドの発光が開始され、前のフレームの残光の影響が小さくなるタイミングで、光学フィルタ部２２４を透過する光の量を増大させるように（光学フィルタ部２２４を開けるように）指示をする同期信号７００、７０２を生成する。ここで、残光の影響が小さくなるタイミングとは、前のフレームの残光が所定の閾値を下回る時点を意味する。或いは、前のフレームの残光があっても、後のフレームのサブフィールドの発光が開始されているため、残光の影響が相対的に小さくなる場合（即ち、発光量に占める残光の比率が所定の閾値以下となるような場合）を意味する。尚、残光の影響の評価に関して、本実施形態は、上記の例に限定されるものではない。残光を評価・計測等するために、他の方法が用いられてもよい。残光の影響に基づいて、同期信号を生成するいずれの方法も、本実施形態に適用することが可能である。
【００７１】
図９を用いてより詳細な説明をする。同期信号生成部３０４は、左眼用のフレームの表示が開始されることに対応して、光学フィルタ部２２４の左眼用光学フィルタ２４１を開ける（左眼用光学フィルタ２４１を透過する光量を増大させる）第１の同期信号９００を生成する。図９（Ｂ）及び図９（Ｃ）に示される左眼用フレームにおいては、同期信号生成部３０４が、第１の同期信号９００を、左眼用フレームの最初のサブフィールド発光が行なわれる前に生成する。左眼用フレームのサブフィールド発光が全て終了すると、同期信号生成部３０４は、左眼用光学フィルタ２４１を閉める（左眼用光学フィルタ２４１を透過する光量を減少させる）ための第１の同期信号９０１を生成する。同期信号生成部３０４は、左眼用フレームの最後のサブフィールド発光が完了した時点で、第１の同期信号９０１を生成している。このとき、光学フィルタ部２２４の左眼用光学フィルタ２４１は、図９（Ｄ）の左眼用フレームに示される動作を行う。この結果、最初の第１の同期信号９００から次の第１の同期信号９０１までの間が、左眼用光学フィルタ２４１が空いている（透過する光の量が比較的多い）こととなり、視聴者は、左眼用フレームの映像を視認可能となる。図９に示される実施形態においては、左眼用フレームの映像を表示している間において最初に送信される第１の同期信号９００が、左眼へ透過する映像の光の量を増大させる光量増大用の同期信号として機能し、次に送信される第１の同期信号９０１が、左眼へ透過する映像の光の量を低減させる光量低減用の同期信号として機能する。
【００７２】
左眼用のフレームのサブフィールドの発光により映像表示部３０３のディスプレイパネル２０６からはグラフ曲線９１１に示すような映像の発光が行われる。一般的に、サブフィールド９１０の駆動に対して曲線で示される発光９１１は遅延する。映像表示部３０３の表示デバイスや表示方式、表示特性等に起因して、左眼用のフレームの発光９１１が、右眼用のフレームに残光９１２として残る場合がある。この残光９１２は右眼用のフレームの映像の視聴に影響を及ぼす。同期信号生成部３０４が、左眼用光学フィルタ２４１を閉めるための制御に用いられる第１の同期信号９０１の生成と同時に、又は、同期信号９０１の生成と連続して、右眼用光学フィルタ２４２を開けるための制御に用いられる第２の同期信号を生成すると、残光９１２が右眼用のフレームの発光まで影響を及ぼし、映像表示装置１００が表示する映像を、視聴者が、正常に視聴できない可能性がある。
【００７３】
本実施形態では、ディスプレイパネル２０６に発生する残光が映像の視聴へ及ぼす影響を小さくするため、単に左眼用と右眼用のフレームの切り替えに同期して光学フィルタ部２２４の左右の光学フィルタ２４１，２４２に対する透過光量を同時に切り替える制御に代えて、左眼及び右眼用の光学フィルタ２４１，２４２の開閉をそれぞれ独立に制御する。本実施形態では、一方の光学フィルタを閉めて（透過する光の量を抑制して）から、他方の光学フィルタを開ける（透過する光の量を増大させる）までの間に、左眼用光学フィルタ２４１及び右眼用光学フィルタ２４２がともに閉まっている期間が設けられることとなる。左眼用光学フィルタ２４１及び右眼用光学フィルタ２４２がともに閉められていることにより、視聴者が映像を視認することがないため、残光は視聴者に何ら影響を与えないこととなる。
【００７４】
同期信号生成部３０４は、光学フィルタ部２２４の左右の光学フィルタ２４１，２４２の開閉を同時に切り替える従来の制御によって生成される同期信号ではなく、左右それぞれの光学フィルタ２４１，２４２を個々に開閉する同期信号を生成する。左右の光学フィルタ２４１，２４２を閉めるための同期信号（パルス）を映像表示装置３００が生成し、映像視聴用眼鏡１２０はこの信号に対応する内部同期信号を、内部同期信号生成部４０４を用いて生成する。この内部同期信号に基づき、光学フィルタ制御部４０５は、対象となる光学フィルタ２４１，２４２を制御し、透過する光の量を減少させる。これにより、左右のフレーム切り替え時に、映像視聴用眼鏡１２０は、光学フィルタ部２２４の左眼用光学フィルタ２４１及び右眼用光学フィルタ２４２を閉める（透過する光の量を抑制する）状態を作り出すことが可能となる。その結果、映像視聴用眼鏡１２０は、光学フィルタ部２２４を閉めるための同期信号に従って、光学フィルタ部２２４の左眼用光学フィルタ２４１及び右眼用光学フィルタ２４２を閉じることにより、映像表示部３０３の残光を、又は、前のフレームの映像の残光と後のフレームの映像の発光とが混在したものを視聴者に視聴させることを防ぐことができる。
【００７５】
同期信号生成部３０４は、更に、同期信号を生成するタイミングを調整することにより、この光学フィルタ部２２４の左眼用光学フィルタ２４１及び右眼用光学フィルタ２４２が閉められる期間と、映像表示部３０３のフレーム切り替え時に生じる残光が発生する期間を同期させることができる。映像視聴用眼鏡１２０は、この同期信号に基づいて光学フィルタ部２２４を制御する。これにより、視聴者は、残光の影響がより小さくされた映像を視聴することが可能となる。
【００７６】
なお、上記の実施形態では、同期信号生成部３０４は、フレームに含まれる複数のサブフィールド発光のうち最後のサブフィールド発光が完了すると同時に、光学フィルタ部２２４を閉めるための同期信号を生成したが、本発明はこれに限定されるものではない。他の実施形態において、図７（Ａ）に示す左眼用フレームから右眼用フレームに切り替わるタイミングで光学フィルタ部２２４を閉める同期信号を生成するものであってもよい。この実施形態においても、同期信号生成部３０４は、左眼用光学フィルタ２４１及び右眼用光学フィルタ２４２のうちいずれか一方を開ける同期信号を、残光の影響が所定以下になった場合に生成することなどを実行することができる。
【００７７】
更に他の実施形態において、後のフレーム（右眼用フレーム）のサブフィールドが発光を開始する前であって、前のフレーム（左眼用フレーム）の残光が所定の値以下になる時点で、同期信号生成部３０４は、光学フィルタ部２２４を閉める同期信号を生成することができる。
【００７８】
また、光学フィルタ部２２４の左眼用光学フィルタ２４１及び／又は右眼用光学フィルタ２４２の動作が遅い（応答性が悪い）等の場合には、第２の同期信号９０３を用いて示されるように、フレームに含まれる複数のサブフィールド発光のうち最後のサブフィールド発光が行われる前に、光学フィルタ部２２４を閉める同期信号を同期信号生成部３０４は生成してもよい。この場合には、光学フィルタ部２２４の動作速度（特性）も考慮しているため、実際には、すべてのサブフィールドの発光が終わった後に、光学フィルタ部２２４が閉められることとなる。
【００７９】
また、上記の実施形態では、同期信号生成部３０４は、フレームの開始と対応して光学フィルタ部２２４の左眼用光学フィルタ２４１及び／又は右眼用光学フィルタ２４２を開ける（透過する光の量を増加させる）同期信号の生成をサブフィールドの点灯前におこなっていたが、本発明はこれに限定されるものではない。例えば、前のフレームの残光の影響が大きい場合、第２の同期信号９０２に示すように、後のフレーム（右眼用のフレーム）に含まれるサブフィールドの発光が開始した後に、同期信号生成部３０４が、右眼用光学フィルタ２４２を開ける同期信号を生成してもよい。この場合には、前のフレーム（左眼用のフレーム）の残光の影響をより小さくすることが可能となる。この結果、視聴者は、残光の影響が低減された右眼用のフレームの映像を視認することが可能となる。その後、再度、左眼用光学フィルタ２４１が開かれる前に第２の同期信号９０３が送信され、左右の光学フィルタ２４１，２４２が閉じられた状態が作り出される。
【００８０】
図７を再度参照する。図７（Ｄ）及び図７（Ｅ）は、上記の説明に従う制御の結果得られる光の透過量の変化を示す。図７（Ｄ）は、同期信号生成部３０４が生成した同期信号に従って、映像視聴用眼鏡１２０の光学フィルタ部２２４が左眼用光学フィルタ２４１を動作させたときの左眼用光学フィルタ２４１を透過する光の量を示し、図７（Ｅ）は、同期信号生成部３０４が生成した同期信号に従って、映像視聴用眼鏡１２０の光学フィルタ部２２４が右眼用光学フィルタ２４２を動作させたときの右眼用光学フィルタ２４２を透過する光の量を示す。図７（Ｄ）及び図７（Ｅ）に示される実施形態では、第１の同期信号７０１が生成されてから第２の同期信号７０２が生成されるまでの期間並びに第２の同期信号７０３が生成されてから第１の同期信号７０４が生成されるまでの期間に同期させて映像視聴用眼鏡１２０の光学フィルタ部２２４を閉じるための制御がなされることで、残光の影響が大きい期間中の両眼へ透過する光の量が抑制される。これにより、映像視聴における残光の影響を小さくすることが可能となる。
【００８１】
この映像視聴用眼鏡１２０の左眼用光学フィルタ２４１及び右眼用光学フィルタ２４２が閉められている期間と、映像表示装置１００の映像表示部３０３が左右の映像を切り替えることに起因する残光の影響が及ぶ期間とを同期させることで、映像視聴者は、残光の影響が低減された映像を視聴することが可能となり、より好適に、立体映像の視聴をすることができる。
【００８２】
２種類の同期信号のみを利用して、映像表示装置１００が表示する左眼用及び右眼用の映像フレームそれぞれの開始と終了の時期と、映像視聴用眼鏡１２０の光学フィルタ部２２４の左眼用光学フィルタ２４１及び／又は右眼用光学フィルタ２４２が開閉される時期とを同期させる制御を行なうことによって、比較的簡単な構成を用いて、立体映像を視聴者に視聴させることが可能となる。
【００８３】
光学フィルタ部２２４を閉めるための同期信号７０１、７０３が設けられることによって、視聴者は、映像表示部３０３に表示される映像のうち残光等の影響をうけない好ましい部分の映像のみを選択的に視聴することが可能となり、より好ましい映像の視聴をすることが可能となる。
【００８４】
上記の実施形態では、フレームの開始及び終了に応じて同期信号を生成する方法を説明したが、フレームの開始を、映像表示部３０３が映像を表示するために各サブフィールドにおいて発光を実行し、グラフ曲線７１１等で示される実際の発光が所定の発光量以上になる時点と定義し、フレームの終了を映像表示部３０３に表示される映像の残光が所定の発光量以下となる時点と定義し、光学フィルタ部２２４に対する開閉制御が実行されてもよい。この制御において、映像表示部３０３に表示される映像が所定の品質（画質）以上である場合に、同期信号生成部３０４は、表示開始（透過光量増大用）の同期信号を生成し、映像が所定の品質（画質）に満たない場合に、同期信号生成部３０４は、表示終了（透過光量低減用）の同期信号を生成する。このように、同期信号生成部３０４は、映像の品質（画質）に基づいて、同期信号を生成することができる。
【００８５】
図１０は、映像表示部３０３にＬＣＤを用いられたときの同期信号生成の一例を示す。図１０（Ａ）は、映像表示部３０３が表示する映像方式を示す。図９に関連して説明されたＰＤＰを映像表示部３０３に用いた実施形態と同様に、この例では、左眼用のフレームと右眼用のフレームが交互に表示される。図１０（Ｂ）は、映像表示部３０３にＬＣＤが用いられたときに、同期信号生成部３０４が、生成する同期信号（パルス）の一例を示すグラフである。
【００８６】
図１０（Ｃ）は、映像表示部３０３のＬＣＤが表示する映像の一例を示すものである。ＬＣＤを用いる映像表示部３０３は、映像面を走査線にしたがって順次走査する。この点で、ＬＣＤとＰＤＰの表示方法が異なっている。図１０（Ｃ）の領域１００４、１００５は、映像が走査させることを示す。映像が走査されている部分では、走査前のフレームと走査後のフレームの映像が混在している状態となる。そのため操作中の映像表示部３０３の映像面には、変化中の映像が映し出されている。これを視聴者が視聴すると、乱れた画像、または、ぼやけた画像をとして視聴する可能性がある。
【００８７】
そこで、ＬＣＤを映像表示部３０３に用いた場合、同期信号生成部３０４は図１０（Ｂ）に示すような同期信号を生成する。具体的には、映像が走査されている間（領域１００４等に該当する期間）は、映像視聴用眼鏡１２０の両眼の光学フィルタ部２２４を透過する光の量を同時に減少させるように同期信号を生成する。つまり、図１０（Ｃ）に示す映像の走査を行う場合、同期信号生成部３０４は、左眼用のフレームの走査１００４が完了してから、左眼用光学フィルタ２４１を透過する光量を増大させるための同期信号１０００を生成し、次に続く右眼用のフレームの走査が開始される前に左眼光学フィルタ２４１を透過する光量を減少させるための同期信号１００１を生成する。右眼用フレームについても同様に、同期信号生成部３０４は、右眼用フレームの走査が完了した後に、右眼用光学フィルタ２４２を透過する光量を増大させる同期信号１００２を生成し、続く右眼用フレームの走査が開始する前に右眼用光学フィルタ２４２を透過する光量を減少させる同期信号１００３を生成する。同期信号生成部３０４が生成した同期信号は、同期信号送信部３０６から、上述のような映像表示部３０３の制御と関連付けたタイミングで送信される。
【００８８】
図１０（Ｄ）及び図１０（Ｅ）は、映像視聴用眼鏡１２０が、同期信号生成部３０４、同期信号送信部３０６等により映像表示装置１００から図１０（Ｂ）に示される同期信号を受信した場合の光学フィルタ部２２４の動作制御の一例を示す。映像視聴用眼鏡１２０の光学フィルタ制御部４０５は、映像表示装置１００から受信した同期信号に基づいて、光学フィルタ部２２４を制御する。映像視聴用眼鏡１２０の光学フィルタ制御部４０５は、それぞれのフレーム開始時の同期信号１０００，１００２と同期して、対応する光学フィルタ２４１，２４２を制御することにより透過する光の量を増減させる。図１０（Ｄ）及び図１０（Ｅ）に示される実施形態では、左眼用フレームの視聴開始を示す同期信号１０００に対応して、左眼への透過光の量が増大している。その後、左眼用フレームの視聴終了を示す同期信号１００１に対応して、左眼への透過光の量が減少される。続いて、同様に右眼用フレームの視聴開始、視聴終了を示す同期信号１００２、１００３にそれぞれ対応して、右眼への透過光の量を増加、減少させる。光学フィルタ制御部４０５は、同期信号１０００に基づき光学フィルタ部２２４を制御するとき、左眼用光学フィルタ２４１を開け、同期信号１００１に基づいて左眼用光学フィルタ２４１を閉じる制御を実行する。同様に右眼用光学フィルタ２４２についても、光学フィルタ制御部４０５は、同期信号１００２に基づき右眼用光学フィルタ２４２を開け、同期信号１００３に基づき右眼用光学フィルタ２４２を閉じる制御を実行する。
【００８９】
図１０に示される実施形態において、同期信号生成部３０４は、各フレームに対応する走査が終了した時点で同期信号１０００、１００２を生成し、続くフレームの走査が開始される前に、同期信号１００１、１００３を生成する。光学フィルタ制御部２２４は、同期信号１０００，１００１、１００２、１００３に同期して光学フィルタ部２２４に対する上記の制御を行う。これにより、光学フィルタ制御部４０５は、映像表示装置１００の映像表示部３０３に表示される映像と同期して、両眼への光の透過量を増大、減少させる。特に、光学フィルタ制御部４０５は、映像走査時には、両眼の光学フィルタ２２４を閉じているため、映像表示部３０３の映像が乱れている場合、ぼけている場合等の好ましくない映像を、視聴者が視聴することを防ぐことができ、より高品質な映像を視聴させることが可能となる。
【００９０】
以上により、ＬＣＤが映像表示部３０３に用いられる場合でも、映像表示装置１００の映像表示部３０３の特性と、映像視聴用眼鏡１２０の光学フィルタ部２２４の制御とを同期させることが可能となり、ＬＣＤを用いたより好ましい立体映像視聴が可能となる。
【００９１】
２種類の同期信号のみを利用して、映像表示装置１００が表示する左眼用及び右眼用の映像と、映像視聴用眼鏡１２０の光学フィルタ部２２４との同期制御を行なうことによって、比較的簡単な構成を用いて、立体映像を視聴者に視聴させることが可能となる。
【００９２】
尚、ＬＣＤが映像表示部３０３に用いられる場合、映像の書き換える走査は、液晶素子の温度が上がると比較的高速に行うことができる。そのため、同期信号生成部３０４は、液晶素子の温度センサ等で検知し、その検知温度に基づいて、走査処理に要する時間を動的に算出し、その結果に基づいて、映像フレームの視聴開始の同期信号の生成タイミングを決定するものであってもよい。図１０（Ｃ）において、映像の走査１００６、１００７は液晶素子の温度が上昇し、応答速度が速くなった場合に走査が短縮化され、同期信号生成部３０４は、これに伴って、映像の視聴開始の同期信号生成を早める（図１０（Ｂ））場合の例を示したものである。
【００９３】
なお、液晶素子の温度検出は温度センサ等で、直接的に検出するもの以外にも、例えば、液晶素子の温度に影響を及ぼすバックライトの動作時間等から論理的に算出するような、間接的な検出であってもよい。つまり、なんらかの方法で算出した温度情報に基づいて同期信号生成部３０４が、映像の視聴開始を通知する同期信号の生成タイミングを動的に決定するものであればいずれの方法でもよい。
【００９４】
なお、より好ましくは、ＬＣＤである映像表示部３０３が映像を書き換える（映像を走査している）間は、ＬＣＤのバックライトを消灯、若しくは、減灯していることが好ましい。これにより、ＬＣＤの表示面から照射される光量が低減されるため、視聴者が走査中の映像を視聴する程度がより低くなり、より高品質な立体映像等の視聴が可能となる。
【００９５】
図１１は、映像視聴表示装置１００が、映像表示部３０３の表示特性に基づいて、同期信号の生成を行なう制御を示すフローチャートである。
【００９６】
ステップ１１０１（Ｓ１１０１）では、同期信号生成部３０４が映像表示部３０３の表示特性を取得する。映像表示装置１００は、映像表示部３０３の表示特性に関する情報、例えば、表示方式がＰＤＰ、又は、ＬＣＤのいずれか等の情報、あるいは、残光に関する情報、走査に関する情報等、メモリ２０４等にあらかじめ格納している。同期信号生成部３０４は、メモリ２０４等に保持されている上記の映像表示部３０３の表示特性に関する情報を取得する。
【００９７】
特定の実施形態において、ＰＤＰが映像表示部３０３として用いられる場合には、同期信号生成部３０４は、使用されるＰＤＰ固有の残光特性の情報を取得する。ＬＣＤが映像表示部３０３に用いられる場合には、同期信号生成部３０４は、走査処理に要する時間等の情報を取得する。
【００９８】
ステップ１１０２（Ｓ１１０２）では、同期信号生成部３０４が、表示する映像のフレームレートを取得する。映像のフレームレートは、映像復号部３００で復号した映像情報、Ｌ／Ｒ信号分離部３０１、メモリ２０４に格納されている情報等から取得可能である。
【００９９】
ステップ１１０３（Ｓ１１０３）では、同期信号生成部３０４は、Ｓ１１０１で取得した映像表示部３０３の特性に応じて、同期信号の生成方法（残光に対応した同期信号の生成、若しくは、映像走査に対応した同期信号の生成）を判断する。上記の実施形態では、残光に対応した同期信号の生成、若しくは、映像走査に対応した同期信号の生成のいずれかを判断する。例えば、同期信号生成部３０４に送られる信号が映像表示部３０３にＰＤＰを用いた場合の信号である場合、同期信号生成部３０４は、左眼及び右眼の映像フレームそれぞれの終了に対応して同期信号９０１，９０３（図９参照）を生成、送信する必要があると判断し、同期信号生成部３０４に送られる信号が映像表示部３０３にＬＣＤを用いた場合の信号である場合、同期信号生成部３０４は、左眼用及び右眼用の映像フレームそれぞれの走査に対応して同期信号１０００，１００２を生成、送信する必要があると判断する。
【０１００】
同期信号生成部３０４は、左眼及び右眼の映像フレームそれぞれの終了に対応して（残光の特性に対応した）同期信号９０１，９０３を生成、送信する必要があると判断した場合、ステップ１１０４が実行される。ステップ１１０４（Ｓ１１０４）では、Ｓ１１０３での判断結果に基づき、同期信号生成部３０４は、それぞれの映像フレーム終了時に同期信号９０１，９０３を生成する。尚、この場合には、上述の如く、同期信号生成部３０４は、映像表示部３０３の残光等の特性に基づいて、同期信号９０１，９０３を生成するタイミング等を算出し、算出されたタイミング等に基づいて同期信号９０１，９０３の生成を行なうこととなる。
【０１０１】
同期信号生成部３０４は、左眼及び右眼の映像フレームそれぞれの走査に対応して（映像走査に対応した）同期信号１０００，１００２を生成、送信する必要があると判断した場合、ステップ１１０５が実行される。ステップ１１０５（Ｓ１１０５）では、同期信号生成部３０４は、それぞれの映像フレームの走査の完了時に同期信号１０００，１００２を生成する（図１０参照）。
【０１０２】
上述の如く、映像表示装置１００は、映像表示部３０３の表示特性に基づいた同期信号を生成並びに送信する。映像視聴用眼鏡１２０は、映像表示装置１００からの同期信号に基づいて光学フィルタ部２２４を制御し、より好適な映像の視聴を視聴者に提供する。
【０１０３】
尚、左眼用のフレームと右眼用のフレームが同一の映像特性を有してもよいが、本実施形態は、これに限定されるものではない。例えば、左眼用フレームと右眼用フレームで異なる映像特性を持つ場合には、それぞれの映像特性に基づいて、同期信号生成部３０４は左眼用フレームと右眼用フレームにおいて互いに波形が異なる同期信号を生成し、光学フィルタ制御部４０５は互いに波形が異なる同期信号に基づいて、左眼用と右眼用の光学フィルタ２４１，２４２間で異なる制御を実行することができる。この場合には、図７（Ｄ）及び図７（Ｅ）に関連して説明された実施形態の如く、左眼用フレームの同期信号７００，７０１と右眼用フレームの同期信号７０２，７０３がそれぞれ独立に生成される。
【０１０４】
また、本実施の形態では表示部の表示特性が、「残光」特性（前のフレームの映像が後のフレームの映像に切り替わった後に、前のフレームの映像が視認される特性）や、映像切り換え時の走査を例として説明したが、本発明は、これに限定されるものではない。表示部の他の表示特性（例えば、発光素子の応答特性等）に応じて、同期信号の生成が制御されてもよい。映像表示部３０３の表示特性に応じて、同期信号を生成・制御するいずれの手法も本発明に適用されることが可能である。
【０１０５】
尚、本実施形態では、２種類の同期信号が示され、２種類のうち一方の同期信号は、光学フィルタを開ける制御に用いられる光量増大用の同期信号を意味し、他方の同期信号は、光学フィルタを閉める制御に用いられる光量低減用の同期信号を意味する。これら同期信号それぞれは、映像を構成するフレームの表示開始を通知する同期信号及び映像を構成するフレームの表示終了を通知する同期信号を意味してもよい。上述の如く、映像視聴用眼鏡１２０の光学フィルタ制御部４０５は、この表示開始及び表示終了の同期信号に基づいて、光学フィルタ部２２４の左右の光学フィルタ２４１，２４２を制御する。
【０１０６】
＜３．内部同期を用いた同期方式について＞
上記実施形態において、光学フィルタ制御部４０５が、同期情報記憶部４０３に格納された情報を読み取り、読み取った情報に基づき、光学フィルタ部２２４を制御することも可能である。この場合には、映像フレームの切り替えに応じて常に、映像表示装置１００は、映像視聴用眼鏡１２０に向けて全ての同期信号を送信する必要がある。また、映像視聴用眼鏡１２０は送信された同期信号全てを受信することが望ましい。しかしながら、このような全ての信号の送受信の成功が保証できない場合がある。例えば、映像表示装置１００に付属するリモートコントローラ（遠隔操作装置）（図示せず）が赤外線を用いて映像表示装置１００へデータ（例えば、映像表示装置１００の電源をオン／オフするためのデータ或いは映像表示装置１００に他の所定の動作を実行させるためのデータ）を送信する場合、リモートコントローラからの赤外線と、映像表示装置１００から映像視聴用眼鏡１２０へ向かう同期信号の送受信に用いられる赤外線とが相互に影響を及ぼしあい、映像視聴用眼鏡１２０が正常に同期信号を受信できない場合などが挙げられる。
【０１０７】
図１２は、リモートコントローラのデータ送信の状況を示す図である。図１２（Ａ）に示される送信期間１２０１は、リモートコントローラから映像表示装置１００へデータが送信されている期間を意味する。送信期間１２０１は、例えば、図１２（Ｂ）に示すように構成される。リモートコントローラはあるデータを送信する際に、同じデータを数回送信する。図１２（Ｂ）では、リモートコントローラは、送信期間１２０１中において、同じデータ１２０２、１２０３、１２０４を３回送信している。リモートコントローラは、一のデータ送信と次のデータ送信の間に一定の無送信期間を設ける。これにより、映像表示装置１００は、前後のデータの境を識別する等の処理を実行することが可能となる。
【０１０８】
上記のようなリモートコントローラからのデータの送信期間１２０１と、映像表示装置１００から映像視聴用眼鏡１２０へ向かう同期信号の送信タイミングが重複すると、映像視聴用眼鏡１２０が同期信号を正常に受信できなくなる可能性がある。本実施形態では、映像表示装置１００から映像視聴用眼鏡１２０へ送信される同期信号の送信タイミングの調整が、以下に示す如く、実行されることとなる。
【０１０９】
映像表示装置１００の送信制御部３０５は、予めリモートコントローラの送信期間１２０１についての情報を蓄積している。図１２に示される例では、送信制御部３０５は、リモートコントローラのデータの送信期間１２０１に該当する送信時間１２０５の時間情報を予め保持している。制御送信部３０５は、この送信時間１２０５の時間の長さに応じて、映像視聴用眼鏡１２０への同期信号の送信を制御する。
【０１１０】
図１２（Ｃ）に例示される同期信号群１２０６は、左眼用フレームに対応して生成される同期信号と、右眼用フレームに対応して生成される同期信号とを含む。図１２（Ｃ）に例示されるように、同期信号送信部３０６は、送信制御部３０５による制御下で、一の同期信号群１２０６を送信してから所定時間（送信停止期間）を経過した後、次の同期信号群１２０６を送信する。図１２に示す実施形態では、一の同期信号群１２０６の送信完了から次の同期信号群１２０６の送信開始まで、リモートコントローラのデータの送信期間１２０１の２倍以上の間隔（送信停止期間）が空けられている。これにより、リモートコントローラのデータと同期信号のデータが重複する確率が、常時、同期信号を送信する場合と比較して低くなる。
【０１１１】
同期信号群１２０６は、図１２（Ｄ）に示すように連続する複数の映像フレームに同期した複数の同期信号からなる。図１２（Ｄ）の例では、同期信号群１２０６は、２回の左眼用フレームの同期信号と２回の右眼用フレームの同期信号とを含む。この同期信号群１２０６が含む左眼用及び右眼用の映像フレームの同期信号の数は、映像視聴用眼鏡１２０の内部同期信号生成部４０４等により実行される内部同期信号の生成に、最低限、必要とされる外部同期信号等の情報の量（確からしさ）に基づき定められる。
【０１１２】
尚、同期信号群１２０６の送信間隔をリモートコントローラのデータの送信期間よりも大きくすればするほど、同期信号群１２０６とリモートコントローラのデータが相互に影響を及ぼしあう確率は低下する。同期信号群１２０６の送信間隔は、内部同期信号の生成に必要とされる外部同期信号等の情報の量に加えて、同期信号群１２０６を送信するために要する時間長にも依存する。同期信号群１２０６を送信するために要する時間が非常に長い場合は、リモートコントローラのデータの送信との重複の確率が高まることとなる。
【０１１３】
送信制御部３０５は、上記の各種情報に基づいて同期信号群１２０６の送信間隔を決定し、決定した送信間隔で同期信号群１２０６を同期信号送信部３０６に送信させる。尚、一の同期信号群１２０６が送信されてから、次の同期信号群１２０６が送信されるまでの間、映像視聴用眼鏡１２０は、内部同期信号生成部４０４により生成される内部同期信号に基づいて制御されることとなる。
【０１１４】
映像視聴用眼鏡１２０は、映像表示装置１００から一群の同期信号１２０６を一定時間間隔毎に受信する。
【０１１５】
同期信号解析部４０２は、外部同期信号受信部４００で受信し、同期信号検出部４０１で検出した同期信号に基づいて、同期信号を解析する。図７（Ｄ）及び図７（Ｅ）に示されるような光学フィルタ部２２４の左眼用光学フィルタ２４１及び右眼用光学フィルタ２４２の挙動を得るためのタイミング（周期等）に関する情報を、同期信号解析部４０２は解析する。図７（Ｄ）及び図７（Ｅ）に示される例では、同期信号解析部４０２は、受信した同期信号（パルス若しくはパルス群）の受信間隔に基づき、左眼用フレームに対応する光学フィルタ２４１を動作させるための間隔（Ａ１）、左眼用フレームに対応する光学フィルタ２４１を開けている（光の透過量を増大させている状態）の間隔（Ｂ１）、左眼用フレームに対応する光学フィルタ２４１を開け始めてから、右眼用フレームに対応する光学フィルタ２４２を開け始めるまでの間隔（Ｃ１）及び右眼用フレームに対応する光学フィルタ２４２を開けている間隔（Ｄ１）を算出する。
【０１１６】
同期信号解析部４０２は、ＣＰＵ２２０が実行するプログラムの一部に相当するが、上記の同期信号解析部４０２による算出処理は、ＣＰＵ２２０が、それぞれの同期信号を受信した時刻をクロック２２２等から取得し、同期信号の受信間隔を測定するなどの方法で実現される。ＣＰＵ２２０によって計測された値を、同期情報記憶部４０３は保持する。
【０１１７】
なお、同期信号解析部４０２は、間隔（Ａ１）、（Ｂ１）、（Ｃ１）、（Ｄ１）それぞれの計測時間をより正確なものとするため、同期信号群１２０６中において複数回取得された同期信号の受信間隔の平均値を算出することも可能である。この場合、計測される回数が多くなればなるほど、同期信号解析部４０２が算出する値の精度は高くなる。
【０１１８】
また、光学フィルタ部２２４の光学フィルタ２４１，２４２の動作が予め定められている場合（例えば、光学フィルタ部２２４の動作の周波数が１２０Ｈｚと１００Ｈｚの２種類に限定される場合）、同期信号解析部４０２が上述の如く算出した値に基づいて、内部同期信号生成部４０４が予め定められた動作の周波数を選択することもできる。この場合は、取得した同期信号と予め決められた動作周波数の情報に基づき、光学フィルタ部２２４を動作させる周波数をより正確に決定することが可能となる。
【０１１９】
なお、予め定められている光学フィルタ部２２４の動作周波数としては、ＮＴＳＣの場合、６０Ｈｚの周波数で左右のフレーム分動作させる必要があるため、６０Ｈｚの２倍となる１２０Ｈｚなどを挙げることができる。同様にＰＡＬ用としては、１００Ｈｚ、その他の周波数としては、１４４Ｈｚ、９６Ｈｚ等を予め定められている光学フィルタ部２２４の動作周波数として挙げることができる。
【０１２０】
内部同期信号生成部４０４は、同期情報記憶部４０３に保持された左眼用フレームに対応する光学フィルタ２４１を動作開始させるための間隔（Ａ１）、左眼用フレームに対応する光学フィルタ２４１を開けている（光の透過量を増大させている状態）間隔（Ｂ１）、左眼用フレームに対応する光学フィルタ２４１を開け始めてから、右眼用フレームに対応する光学フィルタ２４２を開け始めるまでの間隔（Ｃ１）、右眼用フレームに対応する光学フィルタ２４２を開けている間隔（Ｄ１）の時間間隔情報に基づいて、映像視聴用眼鏡１２０内部で同期信号を生成する。ＣＰＵ２２０は、クロック２２２の情報に基づいて、この同期信号を生成することができる。
【０１２１】
光学フィルタ制御部４０５は、内部同期信号生成部４０４が生成した内部の同期信号に従って、光学フィルタ部２２４の左右の光学フィルタ２４１，２４２を動作させる。
【０１２２】
これにより、映像視聴用眼鏡１２０は、映像表示装置１００からの同期信号が、常時、受信できない場合であっても、内部で同期信号を生成することで、映像表示装置１００が映像表示部３０３に表示する左右の映像の切り替えに同期して、光学フィルタ部２２４を制御することが可能となり、視聴者は継続して立体映像を視聴することが可能となる。
【０１２３】
なお、同期信号解析部４０２は、映像表示装置１００から送信される同期信号群１２０６に含まれる左右映像のフレームに対応する同期信号に基づいて、同期信号を解析することが望ましい。この場合は、映像視聴用眼鏡１２０は、同期信号群１２０６を一度受信すれば、内部同期信号を生成することが可能となる。そのため、同期信号群１２０６に含まれる同期信号の数（映像フレームの数）は、映像視聴用眼鏡１２０が内部同期信号を生成するために必要とされる同期信号の数以上であることが望ましい。つまり、同期信号生成部３０４、或いは、送信制御部３０５は、少なくとも、映像視聴用眼鏡１２０が内部同期信号を生成するために必要とする同期信号の数以上の同期信号を連続して送信することが望ましい。
【０１２４】
同期信号解析部４０２は、間隔（Ａ１）、（Ｂ１）、（Ｃ１）、（Ｄ１）の情報を取得した後に、外部から同期信号を取得した場合は、別途新たに（Ａ１）、（Ｂ１）、（Ｃ１）、（Ｄ１）を算出し、既に算出済みの値を新しく算出した値に更新することができる。この結果、映像表示装置のフレームレートが変化した場合等に、映像視聴用眼鏡１２０は素早く対応することが可能となる。
【０１２５】
映像視聴用眼鏡１２０が、所定の時間、映像表示装置１００から同期信号を受信しない場合（例えば、同期信号群１２０６が送信される間隔よりも長い時間、同期信号が受信できない場合）、光学フィルタ制御部４０５は、光学フィルタ部２２４の左眼用光学フィルタ２４１及び右眼用光学フィルタ２４２をともに開放状態にしてもよい。これにより、映像視聴用眼鏡１２０は、同期信号を受信できない場合でも、少なくとも映像表示部３０３に表示されている映像を視聴者に視聴させることが可能となる。
【０１２６】
上述の如く、映像表示装置１００は同期信号を一定時間間隔毎に送信する。また、映像視聴用眼鏡１２０は映像表示装置１００から受信した同期信号に基づいて内部同期信号を生成し、この内部同期信号に基づいて光学フィルタ部２２４を駆動させる。この結果、映像表示システム１が同期信号を送受信できない場合でも、映像表示装置１００に表示される映像と、映像視聴用眼鏡１２０の光学フィルタ部２２４の動作を同期させることができ、視聴者による映像の視聴を継続することが可能となる。
【０１２７】
本実施形態では、同期信号解析部４０２は、左眼用フレームに対応する光学フィルタ２４１を動作開始させるための間隔（Ａ１）、左眼用フレームに対応する光学フィルタ２４１を開けている（光の透過量を増大させている状態）間隔（Ｂ１）、左眼用フレームに対応する光学フィルタ２４１を開け始めてから、右眼用フレームに対応する光学フィルタ２４２を開け始めるまでの間隔（Ｃ１）、右眼用フレームに対応する光学フィルタ２４２を開けている間隔（Ｄ１）の４つを計測して解析したが、本発明はこれに限定されるものではない。例えば、左眼用フレームに対応する光学フィルタ２４１を閉めてからの時間間隔）を用いて、右眼用フレームに対応する光学フィルタ２４２を開ける時間が計測等されることも可能である。受信する同期信号に基づいて同期情報を算出するいずれの手法も、本発明に適用することが可能である。
【０１２８】
本実施形態では、リモートコントローラのデータ送信期間１２０１の情報を送信制御部３０５が予め保持していたが、本発明はこれに限定されるものではない。例えば、映像表示装置１００がリモートコントローラのデータを受信する部分（図示せず）を備えることができる。リモートコントローラからのデータを受信する際のデータ受信時間に関するデータを、送信制御部３０５がリモートコントローラのデータを受信する部分から取得するとともに、リモートコントローラのデータ受信時間を算出することができる。算出されたデータ受信時間に基づき、送信制御部３０５は、データ送信期間１２０１を所定の演算式を用いて算出することができる。この場合は、未知のリモートコントローラが使用される場合であっても、リモートコントローラからのデータを受信することで、映像表示装置１００は適切に同期信号の送信間隔を調整することができる。
【０１２９】
図１３は、２次元的に視認されることを予定されている映像を映像表示部３０３が表示するときの制御の一例を示す。図１４は、２次元的に視認されることを予定されている映像の一例を示す。
【０１３０】
図１３（Ａ）に示される各フレームは、両眼で視認されることを予定されている。図１１３（Ａ）に示される各フレームは、例えば、図１４に示される映像のように、２次元的に視認されることを予定されている映像を含むことができる。図１４に示される如く、各フレームが時系列に切り替わり、各フレームの映像に表示される物Ａのディスプレイパネル２０６中の位置が時系列に変化してもよい。この場合、図１３及び図１４に例示される映像は、同一の内容を表す動画映像となる。
【０１３１】
図１３及び図１４に関連して例示されるような通常の映像（２次元的に視認されることを予定される映像）である場合は、映像視聴用眼鏡１２０の左眼用光学フィルタ２４１及び右眼用光学フィルタ２４２の動作が、図７に関連して説明される実施形態のように、交互に行なわれる必要はない。光学フィルタ制御部４０５は、光学フィルタ部２２４を制御し、左右の光学フィルタ２４１，２４２を透過する光の量を、ほぼ同一（左右の光学フィルタを透過する光の量の差が所定範囲内）にすることができる。図１３に示される実施形態では、映像表示装置１００は、フレームごとに第１の同期信号１３００と第２の同期信号１３０１を送信している。各フレームにおいて、第１の同期信号１３００は、左眼用光学フィルタ２４１及び右眼用光学フィルタ２４２を開くための制御に用いられる光量増大用の同期信号として機能し、第２の同期信号１３０１は、左眼用光学フィルタ２４１及び右眼用光学フィルタ２４２を閉じるための制御に用いられる光量低減用の同期信号として機能する。
【０１３２】
図１３及び図１４に示される実施形態において、図１２に関連して説明された内部同期方式を用いることも可能である。また、同期信号生成部３０４は、第１の同期信号１３００と第２の同期信号１３０１の両方を生成する代わりに、いずれか一方のみを生成し、同期信号送信部３０６がこれらを順次送信してもよい。この場合には、最初に送信される第１の同期信号１３０１又は第２の同期信号１３０２が光学フィルタ部２２４を開く制御を実行するための同期信号として機能し、次に送信される第１の同期信号１３０１又は第２の同期信号１３０２が光学フィルタ部２２４を閉じる制御を実行するための同期信号として機能する。
【０１３３】
（第２の実施の形態）
本実施の形態が第１の実施の形態と異なる点は、映像表示装置１００から映像視聴用眼鏡１２０へ送信される同期信号のみである。その他の部分は、共通であるため説明を省略する。
【０１３４】
図１５は、互いに異なる３種の同期信号を用いた制御を示す。図１５（Ａ）に示される映像フレームは、３次元として知覚されることを予定された立体映像（図５及び図６参照）である。図１５に示される実施形態が、第１の実施形態と異なる点は、図１５（Ｂ）に示される同期信号である。図１５（Ｂ）には、互いに異なる波形を有する３種類の同期信号１５０１，１５０２，１５０３が示される。図８に関連して示されたパルス波形と同様に、３種類の同期信号間のパルス数或いはパルス幅の相違に基づき、同期信号解析部４０２は、同期信号の種類を識別する。例えば、同期信号解析部４０２は、所定時間に２つのパルス数を備える信号を左眼用の光学フィルタ２４１を開けるための同期信号として識別し、４つのパルス数を備える信号を右眼用の光学フィルタ２４２を開けるための同期信号として識別し、３つのパルス数を備える信号を、開放状態にある光学フィルタ２４１，２４２を閉めるための同期信号として識別することができる。
【０１３５】
同期信号生成部３０４は、左眼用フレームの映像の表示が開始されるときに、第１の同期信号１５０１を生成し、同期信号送信部３０６から映像視聴用眼鏡１２０に送信する。左眼用フレームの映像が終了し、残光が所定のレベル以下になるときに、同期信号生成部３０４は、第３の同期信号１５０２を生成するとともに生成された第３の同期信号１５０２を同期信号装置具３０６から送信する。送信された同期信号１５０１，１５０２に基づいて映像視聴用眼鏡１２０の光学フィルタ制御部４０５は、光学フィルタ部２２４の左右の光学フィルタ２４１，２４２を開閉制御する。
【０１３６】
右眼用フレームについても同様に、同期信号生成部３０４は、右眼用フレームの映像の表示が開始されるときに、第２の同期信号１５０３を生成する。そして、右眼用フレームの映像が終了し、残光が所定のレベル以下になるときに、同期信号生成部３０４は、第３の同期信号１５０２を生成するとともに生成された第３の同期信号１５０２を同期信号送信部３０６から送信する。送信された同期信号１５０３，１５０２に基づいて映像視聴用眼鏡１２０の光学フィルタ制御部４０５は、光学フィルタ部２２４の左右の光学フィルタ２４１，２４２を開閉制御する。
【０１３７】
本実施形態では、３種類の同期信号１５０１，１５０２，１５０３を用いて、映像表示装置１００と映像視聴用眼鏡１２０の間の同期を保つ。特に、光学フィルタ部２２４の左右の光学フィルタ２４１，２４２を閉める（透過する光の量を減少させる）制御のために、共通の同期信号（上記の例では、第３の同期信号１５０２）が用いられる。同期信号生成部３０４は、第１の実施形態と同様に、光学フィルタ部２２４の左眼用光学フィルタ２４１及び右眼用光学フィルタ２４２が同時に閉じられている状態を作り出し、光学フィルタ２４１，２４２が同時に閉じられている期間と映像表示部３０３の左右のフレームの切り替え期間を同期させる。この結果、視聴者はより好適な映像の視聴を享受できる。
【０１３８】
光学フィルタ部２２４を開ける制御に用いられる同期信号の信号波形と光学フィルタ部２２４を閉める制御に用いられる同期信号の信号波形が互いに異なるため、映像視聴用眼鏡１２０は、最初に同期信号を受信等した際の動作が、光学フィルタ部２２４を開けるための同期信号か、光学フィルタ部２２４を閉めるための同期信号かを簡単に識別することができる。
【０１３９】
図１６は、図１５に関連して説明された互いに異なる波形を有する光学フィルタ部２２４を開ける制御に用いられる同期信号と光学フィルタ部２２４を閉める制御に用いられる同期信号を用いて、図１３及び図１４に関連して説明された２次元表示画像を視聴するための制御の一例を示す。図１６に例示される制御では、図１５に示される第１の同期信号１５０１及び第３の同期信号１５０２が用いられている。第１の同期信号１５０１は、左眼用光学フィルタ２４１及び右眼用光学フィルタ２４２をともに開く制御に用いられる光量増大用の同期信号として機能する。また、第３の同期信号１５０３は、図１５に関連して説明された実施形態と同様に、左眼用光学フィルタ２４１及び右眼用光学フィルタ２４２をともに閉じる制御に用いられる光量低減用の同期信号として機能する。図１６に示される如く、各フレームを表示している間、第１の同期信号１５０１が送信された後、第３の同期信号が送信される。これにより、各フレームにおいて、左眼用光学フィルタ２４１と右眼用光学フィルタ２４２が略同時に開閉動作を行なうこととなる。尚、図１６に示される実施形態において、図１５に示された第２の同期信号１５０３を光量増大用の同期信号として用いてもよい。
【０１４０】
図１７は、互いに異なる波長を有する４種類の同期信号を用いた制御を示す。図１７（Ａ）に示される映像フレームは、３次元として知覚されることを予定された立体映像（図５及び図６参照）である。図８に関連して示したパルス波形と同様に、４種類の同期信号間のパルス数或いはパルス幅の相違に基づき、同期信号解析部４０２は、同期信号の種類を識別する。例えば、同期信号解析部４０２は、所定時間に２つのパルス数を備える信号を左眼用の光学フィルタ２４１を開けるための同期信号１５０１として識別し、４つのパルス数を備える信号を右眼用の光学フィルタ２４２を開けるための同期信号１５０３として識別し、３つのパルス数を備える信号を、左眼用の光学フィルタ２４１を閉めるための同期信号１５０２として識別し、５つのパルス数を備える信号を右眼用の光学フィルタ２４２を閉めるための同期信号１５０４として識別することができる。
【０１４１】
図１７に示すように４種類の同期信号１５０１，１５０２，１５０３，１５０４を用いて、映像表示装置１００と映像視聴用眼鏡１２０との同期を図ることも可能である。尚、図１５及び図１６に関連して説明された実施形態との比較を容易にすべく、図１７に示される同期信号には、図１５及び図１６で用いられた同期信号と同様の符号が付されている。
【０１４２】
図１７に示される制御において、同期信号生成部３０４は、左眼用フレームの映像の表示が開始されるときに、第１の同期信号１５０１を生成し、左眼用フレームの映像が終了し、残光が所定のレベル以下になるときに、同期信号生成部３０４は、第３の同期信号１５０２を生成する。
【０１４３】
同期信号生成部３０４は更に、右眼用フレームの映像の表示が開始されるときに、同期信号１５０３を生成し、右眼用フレームの映像が終了し、残光が所定のレベル以下になる際に第４の同期信号１５０４を生成する。
【０１４４】
尚、本実施形態で用いられる同期信号（左右の映像フレームと同期して、光学フィルタを開けるための同期信号及び閉めるための同期信号）を生成するタイミング等については、第１の実施形態と同様に、映像表示部３０３の表示特性等に基づいて調整できることは明らかである。
【０１４５】
図１６に関連して説明された２次元映像を視聴する場合、図１７に示される第４の同期信号１５０４が、図１６に示される第３の同期信号１５０２の代わりに用いられてもよい。
【０１４６】
（第３の実施の形態）
上記第１、第２の実施形態では、映像表示装置１００は、立体映像を視聴するための映像を表示したが、本実施形態では、映像表示装置１００は、互い異なる内容を表す２つの動画映像を視聴するための映像を表示する。
【０１４７】
図１８は、互い異なる内容を表す２つの動画映像を視聴者に視聴させるための制御を示す。図１９は、図１８（Ａ）に示される第１の映像のフレームと第２の映像のフレームの映像の一例を示す。図１８（Ａ）は、映像表示装置１００の映像表示部３０３に表示される第１の映像と第２の映像がフレーム毎に切り替えられることを示す。尚、図１８に示される制御のうち、映像表示装置１００から送信される同期信号は、図１５に関連して説明されたものと略同様であるので、図１８に示される同期信号には、図１５で用いられた符号と同様の符号を付している。
【０１４８】
映像表示装置１００は、フレーム毎に第１の映像のフレームと第２の映像のフレームを切り替えて、映像を表示している。このとき、図１９に示される如く、ディスプレイパネル２０６上には、内容的に何ら関連性のない映像が交互に映し出されることとなる。図１５に関連して説明されたものと同様の手法で、同期信号生成部３０４は、図１８（Ｂ）に示されるように同期信号１５０１，１５０２，１５０３を生成する。同期信号生成部３０４は、第１映像フレームの映像表示が開始されると第１の同期信号１５０１を生成し、第１の映像が終了し、残光が所定のレベル以下になるときに、第３の同期信号１５０２を生成する。生成された第１の同期信号１５０１及び第３の同期信号１５０２は、同期信号生成部３０６から同期信号送信部３０６を介して外部同期信号受信部４００へ送信される。
【０１４９】
同期信号生成部３０４は、同様に、第２映像フレームの映像表示が開始されると第２の同期信号１５０３を生成し、第２映像が終了し、残光が所定のレベル以下になるときに、第３の同期信号１５０２を生成する。生成された第２の同期信号１５０３及び第３の同期信号１５０２は、同期信号生成部３０６から同期信号送信部３０６を介して外部同期信号受信部４００へ送信される。
【０１５０】
映像視聴用眼鏡１２０は、スイッチ（図示せず）を備え、視聴者がスイッチを切り替えることにより、立体映像、第１映像及び第２映像の中からいずれか１つを視聴することが可能となる。切り替えスイッチが第１映像を選択しているとき、映像視聴用眼鏡１２０の同期信号解析部４０２は、第１映像フレームに対応する同期信号（即ち、第１の同期信号１５０１及び第３の同期信号１５０２）のみを、受信した同期信号から抽出する。
【０１５１】
同期信号解析部４０２は、抽出された第１の同期信号１５０１及び第３の同期信号１５０２に基づいて内部同期信号を生成するための情報を算出する。内部同期信号生成部４０４は、算出された情報に基づいて、図１８（Ｃ）に示されるように、第１映像フレームに同期した内部同期信号を生成する。光学フィルタ制御部４０５は、内部同期信号生成部４０４が生成した内部同期信号に基づいて、光学フィルタ部２２４を動作させる。
【０１５２】
光学フィルタ制御部４０５は、第１映像フレームに対応する期間は、光学フィルタ部２２４に左眼用光学フィルタ２４１及び右眼用光学フィルタ２４２をともに開ける制御を指示する。反対に、第２映像フレームが映像表示部３０３に表示されている間は、光学フィルタ制御部４０５は、左眼用光学フィルタ２４１及び右眼用光学フィルタ２４２を閉じる制御を実行する。
【０１５３】
映像視聴用眼鏡１２０のスイッチを用いて第２映像が選択されると、映像視聴用眼鏡１２０の同期信号解析部４０２は、第２映像フレームに対応する第２の同期信号１５０３及び第３の同期信号１５０２のみを、受信した同期信号から抽出する。
【０１５４】
同期信号解析部４０２は、抽出された第２の同期信号１５０３及び第３の同期信号１５０２に基づいて内部同期信号を生成するための情報を算出する。内部同期信号生成部４０４は、算出された情報に基づいて、第２映像フレームに同期した内部同期信号を生成する。光学フィルタ制御部４０５は、内部同期信号生成部４０４が生成した内部同期信号に基づいて、光学フィルタ部２２４を動作させる。
【０１５５】
光学フィルタ制御部４０５は、第２映像フレームに対応する期間は、光学フィルタ部２２４に左眼用光学フィルタ２４１及び右眼用光学フィルタ２４２を開ける制御を指示する。第１映像フレームが映像表示部３０３に表示されている間は、左眼用光学フィルタ２４１及び右眼用光学フィルタ２４２を閉じる制御とする。この結果、視聴者は、第２映像フレームのみを選択的に視聴することが可能となる。
【０１５６】
図２０は、図１８に示される制御を通じて、視聴者に視認される映像の一例を示す。上述の如く、光学フィルタ部２２４の制御を通じて、第１映像と第２映像のうち一方の映像のみが視聴者に視認されることとなる。したがって、図２０に示す如く、内容的に関連性のある一連の動画が視聴者に提供されることとなる。映像視聴用眼鏡１２０のスイッチを用いて第１映像が選択されると、視聴者は、第１映像フレームを視聴することができる。また、映像視聴用眼鏡１２０のスイッチを用いて第２映像を選択すると、視聴者は、第２映像フレームを視聴することができる。
【０１５７】
図１８に示される制御に対して、図７に関連して説明された２種の同期信号を用いる制御を適用してもよい。この場合、例えば、第１の同期信号７００，７０１が第１の映像のフレームに割り当てられ、第２の同期信号７０２，７０３が第２の映像フレームに割り当てられる。映像視聴用眼鏡１２０のスイッチの切替操作に応じて、同期信号解析部４０２は、第１の同期信号７００，７０１及び第２の同期信号７０２，７０３のうち一方を抽出する。光学フィルタ制御部４０５は、第１の同期信号７００，７０１及び第２の同期信号７０２，７０３のうち抽出された同期信号に基づき、左眼用光学フィルタ２４１及び右眼用光学フィルタ２４２を開閉させる制御を実行することができる。
【０１５８】
図１８に示される制御に対して、図１７に関連して説明された４種の同期信号を用いる制御を適用してもよい。この場合、例えば、第１の同期信号１５０１及び第３の同期信号１５０２が第１の映像のフレームに割り当てられ、第２の同期信号１５０３及び第４の同期信号１５０４が第２の映像フレームに割り当てられる。映像視聴用眼鏡１２０のスイッチの切替操作に応じて、同期信号解析部４０２は、第１の同期信号１５０１と第３の同期信号１５０２とからなる組、及び、第２の同期信号１５０３と第４の同期信号１５０４とからなる組のうち一方を抽出する。光学フィルタ制御部４０５は、第１の同期信号１５０１と第３の同期信号１５０２とからなる組及び第２の同期信号１５０３と第４の同期信号１５０４とからなる組のうち抽出された同期信号の組に基づき、左眼用光学フィルタ２４１及び右眼用光学フィルタ２４２を開閉させる制御を実行することができる。
【０１５９】
本実施形態においても、第１の実施形態と同様に、映像表示部３０３の表示特性に基づいて、光学フィルタ部２２４の光学フィルタ２４１，２４２を制御することで、残光等の影響を小さくすることができる。
【０１６０】
また、スイッチを用いて立体映像の視聴を選択する場合は、第１の実施形態及び第２の実施形態に関連して説明したように、映像表示装置１００に表示されるフレームと同期して映像視聴用眼鏡１２０の光学フィルタ部２２４を制御することで、視聴者に立体視像を視聴させることが可能となる。
【０１６１】
なお、本実施形態では、２つの異なる映像の視聴を例示して説明したが、本発明はこれに限定されるものではない。３つ以上の映像を上記と同様に、視聴者に選択的に視聴させるものであってもよい。
【０１６２】
図２１は、光学フィルタ部２２４に液晶素子を用いた液晶フィルタを適用したときの制御の一例を示す。図２１（Ａ）は、左眼用フレームと右眼用フレームの切替を示す。図２１（Ａ）に示される実施形態において、図１５（Ａ）に示されるものと同様に、左眼用フレームと右眼用フレームが交互に切り替わっている。図２１（Ｂ）は、ディスプレイパネル２０６の発光輝度の変化（即ち、残光特性）を示している。図２１（Ｃ）は、同期信号送信部３０６から送信される外部同期信号１５０２，１５０３を示す。図２１（Ｃ）において、図１５に示される第２の同期信号１５０３と第３の同期信号１５０２と同様の同期信号が用いられることが示されている。第２の同期信号１５０３は、２つのパルスを有する波形で示され、第３の同期信号１５０２は、３つのパルスを有する波形で示されている。
【０１６３】
図２１（Ｄ）と図２１（Ｅ）は、標準的な応答速度を有する右眼用光学フィルタ２４２を備える映像視聴用眼鏡１２０に対する制御を示す。標準的な応答速度を有する右眼用光学フィルタ２４２を用いた場合、外部同期信号１５０２，１５０３が外部同期信号受信部４００により受信されると、内部同期信号生成部４０４は、例えば、外部同期信号１５０２，１５０３と略同時に内部同期信号２１０２，２１０３を作り出す。
【０１６４】
図２１（Ｆ）と図２１（Ｇ）は、標準的な応答速度よりも速い応答速度を有する右眼用光学フィルタ２４２を備える映像視聴用眼鏡１２０に対する制御を示す。高速の応答速度を有する右眼用光学フィルタ２４２を用いた場合、外部同期信号１５０２が外部同期信号受信部４００により受信されると、内部同期信号生成部４０４は、例えば、右眼用光学フィルタ２４２を開くための制御に用いられる外部同期信号１５０２に対して、所定の遅延時間Ｄだけ遅れて、内部同期信号２１１２を作り出す。遅延時間Ｄは、使用される右眼用光学フィルタ２４２に対して固有に定められた定数値としてもよいし、フレーム周波数により変動することも可能である。外部同期信号１５０２を受信したときから標準的な右眼用光学フィルタ２４２の開口度が、例えば、５０％に達するまでの時間において、高速の応答速度を有する右眼用光学フィルタ２４２の開口度が５０％に達するように遅延時間Ｄが定められてもよい。
【０１６５】
また、同様に、外部同期信号１５０３が外部同期信号受信部４００に受信された場合、内部同期信号生成部４０４は、右眼用光学フィルタ２４２を閉じるための制御に用いられる外部同期信号１５０３に対して、所定の遅延時間Ｄ２だけ遅れて内部同期信号２１１２を作り出す。遅延時間Ｄ２は、上記と同様に、予め定められた固有の定数値、フレーム周波数に依存した値、右眼光学フィルタ２４２の開口度が所定の状態、例えば５０％、で標準的な応答速度の開口度の所定の状態、例えば５０％、となるような値、等いずれの方法で決定されるものであってもよい。なお、ここで説明する開口度５０％は一例であって、５０％と３０％、８０％と９０％のいずれの組み合わせであっても良い。つまり、開口度を基準に決定する方法であれば、基準とする開口度の値はいずれの値であってもよい。なお、開口度を略５０％に設定した場合は、動作開始タイミングを変更したことによる逆効果としての画質劣化の生じる可能性を、減らすことができる。
【０１６６】
標準的な応答速度を有する右眼用光学フィルタ２４２を用いた場合、左眼用フレームで生じた残光が十分に低減する前に右眼用光学フィルタ２４２が開き始める。この結果、標準的な応答速度を有する右眼用光学フィルタ２４２を通じて映像を視聴する視聴者により知覚される左眼用フレームの映像の残光量が多くなる。
【０１６７】
高速の応答速度を有する右眼用光学フィルタ２４２を用いた場合、左眼用フレームで生じた残光が十分に低減した後で右眼用光学フィルタ２４２が開き始める。この結果、標準的な応答速度を有する右眼用光学フィルタ２４２を通じて映像を視聴する視聴者により知覚される左眼用フレームの映像の残光量が少なくなる。
【０１６８】
（第４の実施の形態）
本実施の形態では、同期信号生成部３０４が生成した同期信号に基づいて、送信制御部３０５が同期の送信を制御する点について説明する。
【０１６９】
図２２は、同期信号生成部３０４が生成する内部信号と、同期信号送信部３０６が送信する同期信号との関係を示す。図２２（Ａ）は、左眼用フレームに対応して同期信号生成部３０４が生成する内部信号、図２２（Ｂ）は、右眼用フレームに対応して同期信号生成部３０４が生成する内部信号、図２２（Ｃ）は同期信号送信部３０６から出力される同期信号を示す。
【０１７０】
同期信号生成部３０４は、上記第１から第３の実施の形態に示したように、同期信号を生成する。その際、同期信号生成部３０４は、例えば内部的に、図２２（Ａ）、（Ｂ）に示すような信号を生成して管理する。図２２（Ａ）に示す例では、信号レベルが高レベルで、映像表示部３０３が、視聴可能、又は視聴に適正な左眼用のフレームを表示していると、同期信号生成部３０４が判断していることを示す。つまり、図２２（Ａ）のＬ信号の信号レベルが低レベルから高レベルへ遷移する信号レベル変化２２０１で、左眼用フレームの視聴開始の同期信号２２０９が、同期信号送信部３０６から送信されることを意味する。同様に、図２２（Ａ）のＬ信号の信号レベルが高レベルから低レベルへ遷移する信号レベル変化２２０２で、左眼用フレームの視聴終了の同期信号２２１０が、同期信号送信部３０６から送信されることを意味する。
【０１７１】
右眼用フレームについても同様に、同期信号生成部３０４は、図２２（Ｂ）においてＲ信号の信号レベルが高レベルで、映像表示部３０３が、視聴可能、又は視聴に適正な右眼用のフレームを表示していると判断していることを示す。
【０１７２】
同期信号生成部３０４が上記のように、左右の映像フレームの適正を判断する場合、右眼用のフレームの視聴終了２２０５と、左眼用のフレームの視聴開始２２０１が所定の時間間隔を空けて発生する場合は、それぞれの視聴終了、開始に応じて、同期信号送信部３０６がそれぞれの同期信号を送信すればよい。反対にこれらの間隔が所定の時間間隔よりも短い場合の制御を本実施の形態で説明する。
【０１７３】
同期信号生成部３０４は、映像表示部３０３の特性に応じて、映像表示部３０３に表示される左右のフレームと同期した同期信号を生成する。送信制御部３０６は、基本的に同期信号生成部３０４が生成した同期信号に基づいて、当該同期信号を外部へ各種の方式を用いて送信する。しかし、同期信号送信部３０６が実際に同期信号を送信する際には、送信方式や、送信プロトコル等により一つの同期信号を送信するために一定の時間を必要とする。この同期信号の送信に要する時間は、同期信号送信部３０４が内部的に同期信号を生成する時間よりも通常は長い。そのため、同期信号生成部３０４が短期間に複数の同期信号を生成しても、実際には同期信号送信部３０６はそのすべてを当該期間内に送信できない場合がある。本実施の形態では、このような場合に、送信制御部３０５が、同期信号の送信を制御する点について説明する。
【０１７４】
同期信号生成部３０４が、図２２（Ｂ）の信号レベル遷移２２０７と図２２（Ａ）の信号レベル２２０３に示す時間的な関係で同期信号を生成する場合を例に説明する。同期信号生成部３０４は、右眼用のフレームの視聴終了２２０７と左眼用のフレームの視聴開始２２０３との２つを連続して、若しくは、ごく短期間のうちに判断する。この場合、同期信号送信部３０６は、上記のような理由で、同期信号生成部３０４に追従できない可能性がある。そこで、送信制御部３０５は、連続する２つの同期信号が所定の時間内である場合、つまり、先に生成された同期信号と、その後に生成された同期信号の生成間隔が所定の時間以内である場合、後者の信号を同期信号送信部３０６から送信させない制御を行う。
【０１７５】
信号レベル２２０７と２２０３に示す関係の場合では、同期信号生成部３０４は、本来、右眼用のフレームの視聴終了と左眼用のフレームの視聴開始に対応した同期信号が生成し、それに基づいて同期信号送信部３０６は、第４の同期信号と第１の同期信号を順に送信する。しかし、送信制御部３０５が上記のような制御を行った場合、送信制御部３０５は、同期信号送信部３０６から、先に送信される第４の同期信号のみを送信する制御を行う。これにより、映像表示装置１００からは、第４の同期信号のみが出力されることとなる。
【０１７６】
同様に左眼用のフレームの視聴終了２２０４と右眼用のフレームの視聴開始２２０８とが所定の時間内に発生すると同期信号生成部３０４が判断した場合も、送信制御部３０５は、第３の同期信号２２１２のみを送信し、右眼用のフレームの視聴開始に対応する第２の同期信号の送信を停止する。
【０１７７】
これにより、同期信号生成部３０４が実際に生成した同期信号の生成間隔で、同期信号送信部３０６から同期信号を外部へ送信できない場合、送信制御部３０５は、先に生成された同期信号を優先して送信し、後に生成された同期信号の送信を中止する。その結果、不適切なタイミングで同期信号が映像表示装置１００から送信されることを防ぐことが可能となる。
【０１７８】
なお、映像表示装置１００が上記のような同期信号の送信を行うことを前提として、映像視聴用眼鏡１２０は適切に動作をすることが望ましい。そのため、映像視聴用眼鏡１２０は、同期信号解析部４０２において、通常のケースの同期信号の受信間隔等を保持し、実際に受信した同期信号の種類、及び、その受信間隔と、保持している同期信号の種類、及び、その受信間隔とを比較し、送信されなかった（受信しなかった）同期信号を内部的に補完することが望ましい。これは、図１２で説明したように、同期信号の種類、受信間隔等を同期情報記憶部４０３（メモリ２０４）等に記憶し、内部同期信号生成部４０４等において、映像視聴用眼鏡１２０内部で内部同期信号を生成することで、補完することが可能である。これにより、映像表示装置１００が適切なタイミングで同期信号を送信できない場合、つまり、所定の期間内に複数の同期信号を送信することが求められた場合でも、適切に映像表示装置１００と映像視聴用眼鏡１２０間で適切な同期を保つことが可能である。
【０１７９】
また、映像表示装置１００は、本実施の形態に示すような同期信号の送信を行い、映像視聴用眼鏡１２０がそれに対応することを前提として、同期信号の送信方法に工夫をすることがさらに好ましい。例えば、映像表示装置１００から送信する同期信号は、少なくとも予め定められた回数（例えば、Ｎ回）は同じ間隔で同期信号を送信するものである。つまり、左眼用のフレームの視聴開始、視聴終了、右眼用のフレームの視聴開始、視聴終了の一組を１回とした場合、映像表示装置１００は、少なくともＮ回は同じ時間間隔（送信周期）で送信する。この場合、本実施の形態で説明した、送信されなかった同期信号がある場合のケースでも、少なくともＮ回は同じ状態（送信されない同期信号がある状態）を、映像表示装置１００は繰り返す。これにより、映像視聴用眼鏡１２０は、内部同期信号の生成をより高精度に行うことが可能となる。映像視聴用眼鏡１２０は、所定回数の同じ同期信号の種類、受信間隔を連続して受信することで、光学フィルタ部の制御を変化させる。この場合の所定回数とは、映像表示装置１００が上記に記載のＮ回を同じ状態で送信する場合には、このＮ回以下の回数であることが望ましい。
【０１８０】
第１乃至第４の実施形態に記載された内容は、上記の実施の形態に限定されるものではない。例えば、ハードウェアで行う処理を、ＣＰＵ上で実行されるソフトウェアを用いて実行してもよい。反対にＣＰＵ上で実行されるソフトウェアの処理をハードウェアを用いて実行してもよい。
【０１８１】
上述した具体的実施形態には以下の構成を有する発明が主に含まれる。
【０１８２】
本発明の一局面に係る映像表示装置は、映像視聴用眼鏡を用いて視聴される映像を表示する。この映像表示装置は、前記映像を表示する表示部と、前記映像と同期し、前記映像を構成するフレームの表示終了を前記映像視聴用眼鏡に通知する外部同期信号を生成する同期信号生成部と、前記外部同期信号を送信する同期信号送信部と、を備えることを特徴とする。
【０１８３】
この構成によれば、映像のフレームの表示終了を示す信号を送信することができる。
【０１８４】
上記構成において、前記外部同期信号は、前記映像の視聴に用いられる映像視聴用眼鏡の光学フィルタ部を閉じる制御に用いられてもよい。これにより、映像視聴用眼鏡の光学フィルタ部をフレームの表示終了に対応して閉じることが可能となる。
【０１８５】
上記構成において、前記同期信号生成部は、前記外部同期信号を、前記表示部の表示特性に基づいて生成することができる。これにより、表示部の表示特性に基づき、映像のフレームの表示終了を示す信号を送信することができる。
【０１８６】
上記構成において、前記表示部の表示特性は、残光特性である。これにより、残光特性に基づき、映像のフレームの表示終了を示す信号を送信することができる。
【０１８７】
上記構成において、前記表示部を、プラズマディスプレイパネルとすることができる。これにより、これにより、プラズマディスプレイパネルの残光特性に基づき、映像のフレームの表示終了を示す信号を送信することができる。
【０１８８】
上記構成において、映像表示装置は送信制御部を更に備え、該送信制御部が、前記同期信号送信部を制御し、前記同期信号送信部に、所定の時間内に含まれる複数の前記外部同期信号からなる同期信号群を送信させてもよい。この構成において、前記送信制御部による制御下で、前記同期信号送信部が、一の前記同期信号群を送信してから所定時間の後、他の前記同期信号群を送信してもよい。この構成において、前記映像表示装置を所定の動作をさせるためのデータを前記映像表示装置に送信する遠隔操作装置を更に備え、前記所定時間が、前記遠隔操作装置による前記データの送信に要する時間の２倍以上の長さであることが好ましい。これにより、遠隔操作装置の信号と映像表示装置が送信する同期信号との干渉を防ぐことができる。
【０１８９】
上記構成において、前記映像は、第１の映像と第２の映像とを含み、前記表示部は、前記第１の映像と前記第２の映像とを時間的に切り換えて表示し、前記同期信号生成部は、前記第１の映像を構成するフレームの表示開始及び表示終了、前記第２の映像を構成するフレームの表示開始及び表示終了に関連する２種類の前記外部同期信号を生成し、該２種類の外部同期信号の波形が互いに異なる。この構成において、前記２種類の外部同期信号は、前記第１の映像を構成するフレームの表示開始及び表示終了に関連する第１の同期信号と、前記第２の映像を構成するフレームの表示開始及び表示終了に関連する第２の同期信号とを含むことができる。これにより、波長の異なる２種の外部同期信号のみを用いて、フレームの表示開始及び終了の時期を示す信号を送信可能となる。
【０１９０】
上記構成において、前記同期信号送信部は、前記第１の映像の内容と前記第２の映像の内容とが異なる際に、前記第１の同期信号、第１の同期信号、第２の同期信号、第２の同期信号の順に送信することができる。
【０１９１】
上記構成において、前記映像は、第１の映像と第２の映像とを含み、前記表示部は、前記第１の映像と前記第２の映像とを時間的に切り換えて表示し、前記同期信号生成部は、前記第１の映像を構成するフレームの表示開始及び表示終了、前記第２の映像を構成するフレームの表示開始及び表示終了、に関連する３種類の前記外部同期信号を生成し、前記３種類の外部同期信号の波形が互いに異なる。この構成において、前記３種類の外部同期信号は、前記第１の映像を構成するフレームの表示開始に関連する第１の同期信号と、前記第２の映像を構成するフレームの表示開始に関連する第２の同期信号と、前記第１の映像を構成するフレームの表示終了および前記第２の映像を構成するフレームの表示終了に関連する第３の同期信号と、を含むことができる。これにより、波長の異なる３種の外部同期信号のみを用いて、フレームの表示開始及び終了の時期を示す信号を送信可能となる。
【０１９２】
上記構成において、前記同期信号送信部は、前記第１の映像と前記第２の映像とが異なる内容を表す場合に、前記第１の同期信号、前記第３の同期信号、前記第２の同期信号、前記第３の同期信号の順に送信する。上記構成において、前記同期信号送信部は、前記第１の映像と前記第２の映像とが同一の内容を表す場合、又は、前記表示部に表示される映像が第１の映像のみからなる場合、前記第１乃至第３の同期信号のいずれかのみを送信する。これにより、良質な映像が表示されている時期を示す信号を送信可能となる。
【０１９３】
上記構成において、前記映像は、第１の映像と第２の映像とを含み、前記表示部は、前記第１の映像と前記第２の映像とを時間的に切り換えて表示し、前記同期信号生成部は、前記第１の映像を構成するフレームの表示開始及び表示終了、前記第２の映像を構成するフレームの表示開始及び表示終了、に関連する４種類の外部同期信号を生成し、前記４種類の同期信号の波形が互いに異なる。この構成において、前記４種類の外部同期信号は、前記第１の映像を構成するフレームの表示開始に関連する第１の同期信号と、前記第２の映像を構成するフレームの表示開始に関連する第２の同期信号と、前記第１の映像を構成するフレームの表示終了に関連する第３の同期信号と、前記第２の映像を構成するフレームの表示終了に関連する第４の同期信号と、を含む。これにより、波長の異なる４種の外部同期信号のみを用いて、フレームの表示開始及び終了の時期を示す信号を送信可能となる。
【０１９４】
上記構成において、前記同期信号送信部は、前記第１の映像と前記第２の映像とが異なる内容を表す場合に、前記第１の同期信号、前記第３の同期信号、前記第２の同期信号、前記第４の同期信号の順に送信する。上記構成において、前記同期信号送信部は、前記第１の映像と第２の映像が同一の内容を表す場合、又は、前記表示部に表示される映像が第１の映像のみからなる場合、前記第１乃至第４の同期信号のいずれかのみを外部へ送信する。これにより、これにより、良質な映像が表示されている時期を示す信号を送信可能となる。
【０１９５】
本発明の他の局面に係る映像視聴用眼鏡は、映像と同期し、該映像を構成するフレームの表示終了を通知する外部同期信号を受信する同期信号受信部と、左眼及び右眼へそれぞれ透過する光の量を調整する一対の光学フィルタを備える光学フィルタ部と、前記外部同期信号に基づいて、前記光学フィルタ部を制御する光学フィルタ制御部と、を備えることを特徴とする。
【０１９６】
この構成によれば、視聴者に良質な映像を提供することが可能になる。
【０１９７】
上記構成において、前記光学フィルタ制御部は、前記外部同期信号に基づき、前記光学フィルタ部の一方の光学フィルタを閉じさせてから、他方の光学フィルタを開けるまでの間に、両光学フィルタを閉じる期間を設ける。これにより、視聴者に良質な映像を提供することが可能になる。
【０１９８】
上記構成において、前記外部同期信号に基づいて内部同期信号を生成する内部同期信号生成部を更に備え、前記光学フィルタ制御部が、前記外部同期信号に基づく前記内部同期信号を用いて、前記光学フィルタ部を制御することができる。これにより、外部同期信号を受信しない間も、光学フィルタ部の制御を継続することが可能となる。
【０１９９】
上記構成において、前記光学フィルタ制御部は、前記両光学フィルタを閉じる期間を、前記内部同期信号に基づいて制御することができる。これにより、外部同期信号を受信しない間も、光の量を抑制する期間を継続して作り出すことが可能となる。
【０２００】
上記構成において、前記光学フィルタ制御部は、前記内部同期信号と、前記光学フィルタの特性に基づいて、前記光学フィルタ部を制御することができる。これにより、光学フィルタの性能に依存せず、好適な映像を視聴者に提供することができる。
【０２０１】
上記構成において、前記外部同期信号は、互い異なる波形を備える第１の外部同期信号と第２の外部同期信号とを含むことができる。この構成において、前記第１の外部同期信号に基づいて、前記光学フィルタ制御部が、前記光学フィルタ部を制御し、前記一方の光学フィルタを開けた後、前記第１の外部同期信号を前記外部同期信号受信部が更に受信すると、前記光学フィルタ制御部が、前記光学フィルタ部を制御し、前記一方の光学フィルタを閉じ、前記第２の外部同期信号に基づいて、前記光学フィルタ制御部が、前記光学フィルタ部を制御し、前記他方の光学フィルタを開けた後に、前記第２の外部同期信号を前記外部同期信号受信部が更に受信すると、前記光学フィルタ制御部が、前記光学フィルタ部を制御し、前記他方の光学フィルタを閉じることができる。これにより、波長の異なる２種の同期信号のみを用いて、光学フィルタ部の制御を行なうことができる。
【０２０２】
上記構成において、前記外部同期信号は、互い異なる波形を備える第１の外部同期信号、第２の外部同期信号及び第３の外部同期信号を含むことができる。この構成において、前記第１の外部同期信号に基づき、前記光学フィルタ制御部が、前記光学フィルタ部を制御し、前記一方の光学フィルタを開き、前記第２の外部同期信号に基づき、前記光学フィルタ制御部が、前記光学フィルタ部を制御し、前記他方の光学フィルタを開き、前記第３の外部同期信号に基づき、前記光学フィルタ制御部が、前記光学フィルタ部を制御し、前記両光学フィルタを閉じる。この構成において、前記外部同期信号受信部は、前記第１の外部同期信号、前記第３の外部同期信号、前記第２の外部同期信号、前記第３の外部同期信号の順に外部同期信号を受信してもよい。これにより、波長の異なる３種の同期信号のみを用いて、光学フィルタ部の制御を行なうことができる。
【０２０３】
上記構成において、前記外部同期信号は、互い異なる波形を備える第１の外部同期信号、第２の外部同期信号、第３の外部同期信号及び第４の外部同期信号を含むことができる。この構成において、前記第１の外部同期信号に基づき、前記光学フィルタ制御部が、前記光学フィルタ部を制御し、前記一方の光学フィルタを開き、前記第２の外部同期信号に基づき、前記光学フィルタ制御部が、前記光学フィルタ部を制御し、前記他方の光学フィルタを開き、前記第３の外部同期信号に基づき、前記光学フィルタ制御部が、前記光学フィルタ部を制御し、前記一方の光学フィルタを閉じ、前記第４の外部同期信号に基づき、前記光学フィルタ制御部が、前記光学フィルタ部を制御し、前記他方の光学フィルタを閉じる。この構成において、前記外部同期信号受信部は、前記第１の外部同期信号、前記第３の外部同期信号、前記第２の外部同期信号、前記第４の外部同期信号の順に外部同期信号を受信してもよい。
【０２０４】
上記構成において、前記外部同期信号は、互いに異なる波形を備える複数の外部同期信号を含み、前記内部同期信号生成部は、前記複数の外部同期信号相互の受信間隔に基づいて前記内部同期信号を生成することができる。これにより、外部同期信号を受信しない間も、光学フィルタ部の制御を継続することが可能となる。
【０２０５】
本発明の他の局面に係る映像システムは、映像表示装置と、該映像表示装置が表示した前記映像の視聴に用いられる映像視聴用眼鏡とを具備する。前記映像表示装置は、映像を表示する表示部と、前記映像と同期し、前記映像を構成するフレームの表示終了を通知する外部同期信号を生成する同期信号生成部と、前記外部同期信号を前記映像視聴用眼鏡へ送信する同期信号送信部と、を有する。  前記映像視聴用眼鏡は、前記外部同期信号を受信する同期信号受信部と、左眼及び右眼へそれぞれ透過する光の量を調整する一対の光学フィルタを備える光学フィルタ部と、前記外部同期信号に基づいて、前記光学フィルタ部を制御する光学フィルタ制御部と、を備える。
【０２０６】
この構成によれば、フレーム切り替わり時の映像を視聴者に視聴させることを防ぎ、視聴者に良質な映像を提供することが可能になる。
【図１】
2010266840.tif 000003
【図２】
2010266840.tif 000004
【図３】
2010266840.tif 000005
【図４】
2010266840.tif 000006
【図６】
2010266840.tif 000007
【図８】
2010266840.tif 000008
【図１０】
2010266840.tif 000009
【図１１】
2010266840.tif 000010
【図１２】
2010266840.tif 000011
【図１３】
2010266840.tif 000012
【図１４】
2010266840.tif 000013
【図１５】
2010266840.tif 000014
【図１６】
2010266840.tif 000015
【図１７】
2010266840.tif 000016
【図１８】
2010266840.tif 000017
【図１９】
2010266840.tif 000018
【図２０】
2010266840.tif 000019
【図２１】
2010266840.tif 000020
【図２２】
2010266840.tif 000021
【図５】
2010266840.tif 000022
【図７】
2010266840.tif 000023
【図９】
2010266840.tif 000024